(57)【要約】      （修正有）【課題】ホーム進化型ノードＢ（ＨｅＮＢ）によるセル間干渉調整（ＩＣＩＣ）を行うための方法及び装置を提供する。【解決手段】帯域幅（リソース）の一部分が、ユーザ装置（ＵＥ）のために予約される４０４。帯域幅の予約部分についての通知が、少なくとも１つの干渉する可能性がある進化型ノードＢ（ｅＮＢ）に対して送信される４０６。データ交換が、帯域幅の予約部分を使用してＵＥとの間で実行される４０８。帯域幅の予約部分を解放する通知が、干渉する可能性があるｅＮＢに対して送信される４１２。【選択図】図４
2014195315.tif 000002
【特許請求の範囲】
【請求項１】
ホーム進化型ノードＢ（ＨｅＮＢ）によるセル間干渉調整（ＩＣＩＣ）のための方法であって、
ユーザ装置（ＵＥ）のために帯域幅の一部分を予約することと、
帯域幅の前記予約部分についての通知を少なくとも１つの干渉する可能性がある進化型ノードＢ（ｅＮＢ）に対して送信することと、
帯域幅の前記予約部分を使用して前記ＵＥとのデータ交換を実行することと、
帯域幅の前記予約部分を解放する通知を前記少なくとも１つの干渉する可能性があるｅＮＢに対して送信することと、
を備える方法。
【請求項２】
帯域幅の前記予約部分を解放する前記通知は、前記ＵＥとの前記データ交換が、停止しているときに、送信される、請求項１に記載の方法。
【請求項３】
帯域幅の前記予約部分を解放する前記通知は、前記ＵＥが、アイドルモードに入るときに、送信される、請求項１に記載の方法。
【請求項４】
前記少なくとも１つの干渉する可能性があるｅＮＢは、自己組織化ネットワーク（ＳＯＮ）サーバを通して識別される、請求項１に記載の方法。
【請求項５】
前記ＨｅＮＢは、バックホール接続を通して前記少なくとも１つの干渉する可能性があるｅＮＢと通信する、請求項１に記載の方法。
【請求項６】
前記ＨｅＮＢは、Ｘ２リンクを通して前記少なくとも１つの干渉する可能性があるｅＮＢと通信する、請求項１に記載の方法。
【請求項７】
前記少なくとも１つの干渉する可能性があるｅＮＢは、別のＨｅＮＢを備える、請求項１に記載の方法。
【請求項８】
ホーム進化型ノードＢ（ＨｅＮＢ）によるダウンリンクのセル間干渉調整（ＩＣＩＣ）のための方法であって、
ユーザ装置（ＵＥ）とのデータ交換を実行することと、
測定報告を受信することと、
第１のスルーレートで送信パワーを低減させることと、
第２のスルーレートで前記送信パワーを増大させることと、
を備える方法。
【請求項９】
タイマを開始することと、前記タイマが経過しているかどうかを決定することと、をさらに備え、前記送信パワーは、前記タイマが経過しているときに、前記第２のスルーレートで増大される、請求項８に記載の方法。
【請求項１０】
前記ＨｅＮＢは、制限されたＨｅＮＢであり、そして前記ＵＥは、前記ＨｅＮＢについての閉鎖的な加入者グループ（ＣＳＧ）に属していない、請求項８に記載の方法。
【請求項１１】
前記測定報告は、前記ＵＥから受信される、請求項８に記載の方法。
【請求項１２】
前記測定報告は、進化型ノードＢ（ｅＮＢ）から受信される、請求項８に記載の方法。
【請求項１３】
前記ｅＮＢは、干渉する可能性があるｅＮＢである、請求項１２に記載の方法。
【請求項１４】
前記ｅＮＢは、干渉する可能性があるＨｅＮＢである、請求項１２に記載の方法。
【請求項１５】
ユーザ装置（ＵＥ）によるダウンリンクのセル間干渉調整（ＩＣＩＣ）のための方法であって、
ホーム進化型ノードＢ（ＨｅＮＢ）についての受信信号強度を測定することと；  測定報告を作成することと、なお前記測定報告は、前記ＨｅＮＢについての前記受信信号強度を含む；  前記測定報告を第１の進化型ノードＢ（ｅＮＢ）に対して送信することと；  を備える方法。
【請求項１６】
前記ＨｅＮＢは、制限されたＨｅＮＢであり、そして前記ＵＥは、前記ＨｅＮＢについての閉鎖的な加入者グループ（ＣＳＧ）に属していない、請求項１５に記載の方法。
【請求項１７】
前記第１のｅＮＢは、前記ＨｅＮＢであり、そして前記方法は、
前記ＨｅＮＢの再選択を実行することと、
１度目に前記ＨｅＮＢを用いてアクセスプロシージャを実行することと、
移動性管理エンティティ（ＭＭＥ）に登録することと、
前記ＭＭＥからページを受信することと、
２度目に前記ＨｅＮＢを用いてアクセスプロシージャを実行することと、
をさらに備え、前記ＵＥは、前記測定報告を前記ＨｅＮＢに対して送信する前に、前記２度目に前記ＨｅＮＢを用いてアクセスプロシージャを実行する、請求項１６に記載の方法。
【請求項１８】
前記ＨｅＮＢの再選択を実行することは、前記ＨｅＮＢからのダウンリンク信号が、第２のｅＮＢからのダウンリンク信号と干渉しているので、起こる、請求項１７に記載の方法。
【請求項１９】
前記第２のｅＮＢを用いてアクセスプロシージャを実行すること、をさらに備える請求項１８に記載の方法。
【請求項２０】
セル間干渉調整（ＩＣＩＣ）のために構成されたホーム進化型ノードＢ（ＨｅＮＢ）であって、
プロセッサと、
前記プロセッサと電子通信しているメモリと、
前記メモリに記憶される命令と、
を備え、前記命令は、前記プロセッサによって、
ユーザ装置（ＵＥ）のために帯域幅の一部分を予約するように、
帯域幅の前記予約部分についての通知を少なくとも１つの干渉する可能性がある進化型ノードＢ（ｅＮＢ）に対して送信するように、
帯域幅の前記予約部分を使用して前記ＵＥとのデータ交換を実行するように、そして  帯域幅の前記予約部分を解放する通知を前記干渉する可能性があるｅＮＢに対して送信するように、
実行可能である、ＨｅＮＢ。
【請求項２１】
帯域幅の前記予約部分を解放する前記通知は、前記ＵＥとの前記データ交換が停止しているときに、送信される、請求項２０に記載のＨｅＮＢ。
【請求項２２】
帯域幅の前記予約部分を解放する前記通知は、前記ＵＥがアイドルモードに入るときに、送信される、請求項２０に記載のＨｅＮＢ。
【請求項２３】
前記少なくとも１つの干渉する可能性があるｅＮＢは、自己組織化ネットワーク（ＳＯＮ）サーバを通して識別される、請求項２０に記載のＨｅＮＢ。
【請求項２４】
前記ＨｅＮＢは、バックホール接続を通して前記少なくとも１つの干渉する可能性があるｅＮＢと通信する、請求項２０に記載のＨｅＮＢ。
【請求項２５】
前記ＨｅＮＢは、Ｘ２リンクを通して前記少なくとも１つの干渉する可能性があるｅＮＢと通信する、請求項２０に記載のＨｅＮＢ。
【請求項２６】
前記少なくとも１つの干渉する可能性があるｅＮＢは、別のＨｅＮＢを備える、請求項２０に記載のＨｅＮＢ。
【請求項２７】
ダウンリンクのセル間干渉調整（ＩＣＩＣ）のために構成されたホーム進化型ノードＢ（ＨｅＮＢ）であって、
プロセッサと、
前記プロセッサと電子通信しているメモリと、
前記メモリに記憶される命令と、
を備え、前記命令は、前記プロセッサによって、
ユーザ装置（ＵＥ）とのデータ交換を実行するように、
測定報告を受信するように、
第１のスルーレートで送信パワーを低減させるように、そして  第２のスルーレートで前記送信パワーを増大させるように、
実行可能である、ＨｅＮＢ。
【請求項２８】
前記命令は、さらに、タイマを開始するように、そして前記タイマが経過しているかどうかを決定するように、実行可能であり、前記送信パワーは、前記タイマが経過しているときに、前記第２のスルーレートで増大される、請求項２７に記載のＨｅＮＢ。
【請求項２９】
前記ＨｅＮＢは、制限されたＨｅＮＢであり、そして前記ＵＥは、前記ＨｅＮＢについての閉鎖的な加入者グループ（ＣＳＧ）に属していない、請求項２７に記載のＨｅＮＢ。
【請求項３０】
前記測定報告は、前記ＵＥから受信される、請求項２７に記載のＨｅＮＢ。
【請求項３１】
前記測定報告は、進化型ノードＢ（ｅＮＢ）から受信される、請求項２７に記載のＨｅＮＢ。
【請求項３２】
前記ｅＮＢは、干渉する可能性があるｅＮＢである、請求項３１に記載のＨｅＮＢ。
【請求項３３】
前記ｅＮＢは、干渉する可能性があるＨｅＮＢである、請求項３１に記載のＨｅＮＢ。
【請求項３４】
ダウンリンクのセル間干渉調整（ＩＣＩＣ）のために構成されたユーザ装置（ＵＥ）であって、
プロセッサと、
前記プロセッサと電子通信しているメモリと、
前記メモリに記憶される命令と、
を備え、前記命令は、前記プロセッサによって、
ホーム進化型ノードＢ（ＨｅＮＢ）についての受信信号強度を測定するように；  測定報告を作成するように、なお前記測定報告は、前記ＨｅＮＢについての前記受信信号強度を含む；そして  前記測定報告を第１の進化型ノードＢ（ｅＮＢ）に対して送信するように；  実行可能である、ＵＥ。
【請求項３５】
前記ＨｅＮＢは、制限されたＨｅＮＢであり、そして前記ＵＥは、前記ＨｅＮＢについての閉鎖的な加入者グループ（ＣＳＧ）に属していない、請求項３４に記載のＵＥ。
【請求項３６】
前記第１のｅＮＢは、前記ＨｅＮＢであり、そして前記命令は、さらに、
前記ＨｅＮＢの再選択を実行するように、
１度目に前記ＨｅＮＢを用いてアクセスプロシージャを実行するように、
移動性管理エンティティ（ＭＭＥ）に登録するように、
前記ＭＭＥからページを受信するように、そして  ２度目に前記ＨｅＮＢを用いてアクセスプロシージャを実行するように、
実行可能であり、前記ＵＥは、前記測定報告を前記ＨｅＮＢに対して送信する前に前記２度目に前記ＨｅＮＢを用いてアクセスプロシージャを実行する、請求項３５に記載のＵＥ。
【請求項３７】
前記ＨｅＮＢの再選択を実行することは、前記ＨｅＮＢからのダウンリンク信号が、第２のｅＮＢからのダウンリンク信号と干渉しているので、起こる、請求項３６に記載のＵＥ。
【請求項３８】
前記命令は、さらに、前記第２のｅＮＢを用いてアクセスプロシージャを実行するように、実行可能である、請求項３７に記載のＵＥ。
【請求項３９】
セル間干渉調整（ＩＣＩＣ）のための装置であって、
ユーザ装置（ＵＥ）のために帯域幅の一部分を予約するための手段と、
帯域幅の前記予約部分についての通知を少なくとも１つの干渉する可能性がある進化型ノードＢ（ｅＮＢ）に対して送信するための手段と、
帯域幅の前記予約部分を使用して前記ＵＥとのデータ交換を実行するための手段と、
帯域幅の前記予約部分を解放する通知を前記少なくとも１つの干渉する可能性があるｅＮＢに対して送信するための手段と、
を備える装置。
【請求項４０】
帯域幅の前記予約部分を解放する前記通知は、前記ＵＥとの前記データ交換が、停止しているときに、送信される、請求項３９に記載の装置。
【請求項４１】
前記少なくとも１つの干渉する可能性があるｅＮＢは、自己組織化ネットワーク（ＳＯＮ）サーバを通して識別される、請求項３９に記載の装置。
【請求項４２】
ダウンリンクのセル間干渉調整（ＩＣＩＣ）のための装置であって、
ユーザ装置（ＵＥ）とのデータ交換を実行するための手段と、
測定報告を受信するための手段と、
第１のスルーレートで送信パワーを低減させるための手段と、
第２のスルーレートで前記送信パワーを増大させるための手段と、
を備える装置。
【請求項４３】
タイマを開始するための手段と、前記タイマが経過しているかどうかを決定するための手段と、をさらに備え、前記送信パワーは、前記タイマが経過しているときに、前記第２のスルーレートで増大される、請求項４２に記載の装置。
【請求項４４】
制限されたＨｅＮＢであり、そして前記ＵＥは、前記ＨｅＮＢについての閉鎖的な加入者グループ（ＣＳＧ）に属していない、請求項４２に記載の装置。
【請求項４５】
前記測定報告は、バックホール接続上で進化型ノードＢ（ｅＮＢ）から受信される、請求項４２に記載の装置。
【請求項４６】
ダウンリンクのセル間干渉調整（ＩＣＩＣ）のための装置であって、
ホーム進化型ノードＢ（ＨｅＮＢ）についての受信信号強度を測定するための手段と；  測定報告を作成するための手段と、なお前記測定報告は、前記ＨｅＮＢについての前記受信信号強度を含む；  前記測定報告を第１の進化型ノードＢ（ｅＮＢ）に対して送信するための手段と；  を備える装置。
【請求項４７】
前記第１のｅＮＢは、前記ＨｅＮＢであり、そして前記装置は、
前記ＨｅＮＢの再選択を実行するための手段と、
１度目に前記ＨｅＮＢを用いてアクセスプロシージャを実行するための手段と、
移動性管理エンティティ（ＭＭＥ）に登録するための手段と、
前記ＭＭＥからページを受信するための手段と、
２度目に前記ＨｅＮＢを用いてアクセスプロシージャを実行するための手段と、
をさらに備え、前記ＵＥは、前記測定報告を前記ＨｅＮＢに対して送信する前に、前記２度目に前記ＨｅＮＢを用いてアクセスプロシージャを実行する、請求項４６に記載の装置。
【請求項４８】
セル間干渉調整（ＩＣＩＣ）のために構成されたワイヤレスデバイスのためのコンピュータプログラムプロダクトであって、その上に命令を有するコンピュータ可読媒体、を備え、前記命令は、
ユーザ装置（ＵＥ）のために帯域幅の一部分を予約するためのコードと、
帯域幅の前記予約部分についての通知を少なくとも１つの干渉する可能性がある進化型ノードＢ（ｅＮＢ）に対して送信するためのコードと、
帯域幅の前記予約部分を使用して前記ＵＥとのデータ交換を実行するためのコードと、
帯域幅の前記予約部分を解放する通知を前記少なくとも１つの干渉する可能性があるｅＮＢに対して送信するためのコードと、
を備える、コンピュータプログラムプロダクト。
【請求項４９】
ダウンリンクのセル間干渉調整（ＩＣＩＣ）のために構成されたワイヤレスデバイスのためのコンピュータプログラムプロダクトであって、その上に命令を有するコンピュータ可読媒体、を備え、前記命令は、
ユーザ装置（ＵＥ）とのデータ交換を実行するためのコードと、
測定報告を受信するためのコードと、
第１のスルーレートで送信パワーを低減させるためのコードと、
第２のスルーレートで前記送信パワーを増大させるためのコードと、
を備える、コンピュータプログラムプロダクト。
【請求項５０】
ダウンリンクのセル間干渉調整（ＩＣＩＣ）のために構成されたワイヤレスデバイスのためのコンピュータプログラムプロダクトであって、その上に命令を有するコンピュータ可読媒体、を備え、前記命令は、
ホーム進化型ノードＢ（ＨｅＮＢ）についての受信信号強度を測定するためのコードと；  測定報告を作成するためのコードと、なお前記測定報告は、前記ＨｅＮＢについての前記受信信号強度を含む；  前記測定報告を第１の進化型ノードＢ（ｅＮＢ）に対して送信するためのコードと；  を備える、コンピュータプログラムプロダクト。
【発明の詳細な説明】
【関連出願】
【０００１】
本願は、発明者がアレクサンダーダムンジャノヴィク(Aleksandar Damnjanovic)の「フェムトセルのための干渉管理(Interference Management for Femto Cells)」についての２００８年４月１６日に出願された米国仮特許出願第６１／０４５，５４９号に関連しており、そしてその優先権を主張するものである。
【技術分野】
【０００２】
[関連出願]  本願は、発明者がアレクサンダーダムンジャノヴィク(Aleksandar Damnjanovic)の「フェムトセルのための干渉管理(Interference Management for Femto Cells)」についての２００８年４月１６日に出願された米国仮特許出願第６１／０４５，５４９号に関連しており、そしてその優先権を主張するものである。
【０００３】
[分野]  本開示は、一般にワイヤレス通信システムに関する。より詳細には、本開示は、アップリンクおよびダウンリンクのセル間干渉調整のための方法および装置に関する。
【背景技術】
【０００４】
ワイヤレス通信システムは、それによって世界中の多数の人々が通信するようになってきている重要な手段になってきている。ワイヤレス通信システムは、いくつかの移動局についての通信を提供することができ、これらの移動局のおのおのは、基地局によってサービスされることができる。
【０００５】
展開される移動局の数が増大するにつれて、適切な帯域幅の利用についての必要性は、より重要になる。さらに、半自律の(semi-autonomous)基地局の導入は、既存の基地局との干渉を生成する可能性がある。セル間干渉調整(Inter-cell interference coordination)（ＩＣＩＣ）は、半自律の基地局の導入に起因した干渉の低減または除去を提供することができる。
【図面の簡単な説明】
【０００６】
【図１】図１は、複数のユーザ装置(user equipments)（ＵＥ）と、ホーム進化型ノードＢ(home evolved nodeB)（ＨｅＮＢ）と、進化型ノードＢ(evolved nodeB)（ｅＮＢ）と、中継ノードと、コアネットワークと、を有するワイヤレス通信システムを示している。
【図２】図２は、マクロ−ｅＮＢと複数のＨｅＮＢとを有するワイヤレス通信システムである。
【図３】図３は、アップリンクＩＣＩＣのための、ＵＥと、２つ以上のｅＮＢとの間の送信スキーム(scheme)を示している。
【図４】図４は、ＨｅＮＢによるアップリンクＩＣＩＣの一方法を示す流れ図である。
【図４Ａ】図４Ａは、図４の方法に対応する機能手段ブロック(means-plus-function blocks)を示している。
【図５】図５は、ダウンリンクＩＣＩＣのための、ＵＥと、移動性管理エンティティ (mobility management entity)（ＭＭＥ）と、２つ以上のｅＮＢとの間の送信スキームを示している。
【図６】図６は、ＨｅＮＢによるダウンリンクＩＣＩＣのための一方法を示す流れ図である。
【図６Ａ】図６Ａは、図６の方法に対応する機能手段ブロックを示している。
【図７】図７は、ＵＥによるダウンリンクＩＣＩＣのための一方法を示す流れ図である。
【図７Ａ】図７Ａは、図７の方法に対応する機能手段ブロックを示している。
【図８】図８は、ＵＥによるダウンリンクＩＣＩＣのための別の方法を示す流れ図である。
【図８Ａ】図８Ａは、図８の方法に対応する機能手段ブロックを示している。
【図９】図９は、ダウンリンクＩＣＩＣのための、ＵＥと、制限されたＨｅＮＢと、１つまたは複数の無制限のｅＮＢとの間の送信スキームを示している。
【図１０】図１０は、ｅＮＢによるダウンリンクＩＣＩＣのための一方法を示す流れ図である。
【図１０Ａ】図１０Ａは、図１０の方法に対応する機能手段ブロックを示している。
【図１１】図１１は、ダウンリンクＩＣＩＣのための、ＵＥと、ＨｅＮＢと、１つまたは複数の無制限のｅＮＢとの間の送信スキームを示している。
【図１２】図１２は、本方法および本装置で使用するためのＵＥの様々なコンポーネントを示すブロック図である。
【図１３】図１３は、本方法および本装置で使用するためのｅＮＢの様々なコンポーネントを示すブロック図である。
【図１４】図１４は、ＵＥ内に含まれることができるある種のコンポーネントを示している。
【図１５】図１５は、ｅＮＢ内に含まれることができるある種のコンポーネントを示している。
【発明を実施するための形態】
【０００７】
ホーム進化型ノードＢ（ＨｅＮＢ）によるセル間干渉調整（ＩＣＩＣ）のための一方法が、開示される。帯域幅の一部分が、ユーザ装置（ＵＥ）のために予約される(reserved)。帯域幅の予約部分(reserved portion)についての通知が、少なくとも１つの干渉する可能性がある(potentially interfering)進化型ノードＢ（ｅＮＢ）に対して送信される。データ交換が、帯域幅の予約部分を使用してＵＥを用いて実行される。帯域幅の予約部分を解放する通知が、その少なくとも１つの干渉する可能性があるｅＮＢに対して送信される。
【０００８】
帯域幅の予約部分を解放する通知は、ＵＥとのデータ交換が停止しているときに、あるいはＵＥがアイドルモード(idle mode)に入るときに、送信されることができる。
【０００９】
少なくとも１つの干渉する可能性があるｅＮＢは、自己組織化ネットワーク(self organizing network)（ＳＯＮ）サーバを通して識別されることができる。ＨｅＮＢは、バックホール接続(backhaul connection)および／またはＸ２リンクを通して、少なくとも１つの干渉する可能性があるｅＮＢと通信することができる。少なくとも１つの干渉する可能性があるｅＮＢは、別のＨｅＮＢであってもよい。
【００１０】
ホーム進化型ノードＢ（ＨｅＮＢ）によるダウンリンクのセル間干渉調整（ＩＣＩＣ）のための一方法もまた、開示される。データ交換は、ユーザ装置（ＵＥ）を用いて実行される。測定報告が、受信される。送信パワーは、第１のスルーレートで低減される。送信パワーは、第２のスルーレートで増大される。
【００１１】
タイマが、開始されることができる。タイマが経過しているかどうかが、決定されることができ、そしてタイマが経過しているときに、送信パワーは、第２のスルーレートで増大されることができる。
【００１２】
ＨｅＮＢは、制限されたＨｅＮＢとすることができる。ＵＥは、ＨｅＮＢについての閉鎖的な加入者グループ(closed subscriber group)（ＣＳＧ）に属していない可能性がある。
【００１３】
測定報告は、ＵＥから受信されることができる。別のコンフィギュレーションにおいては、測定報告は、進化型ノードＢ（ｅＮＢ）から受信されることができる。ｅＮＢは、干渉する可能性があるｅＮＢ、または干渉する可能性があるＨｅＮＢとすることができる。
【００１４】
ユーザ装置（ＵＥ）によるダウンリンクのセル間干渉調整（ＩＣＩＣ）のための一方法が、開示される。受信信号強度が、ホーム進化型ノードＢ（ＨｅＮＢ）について測定される。測定報告が、作成される。測定報告は、ＨｅＮＢについての受信信号強度を含んでいる。測定報告は、第１の進化型ノードＢ（ｅＮＢ）に対して送信される。
【００１５】
第１のｅＮＢは、ＨｅＮＢとすることができる。ＨｅＮＢの再選択が、実行されることができる。アクセスプロシージャが、１度目に(for a first time)ＨｅＮＢを用いて実行されることができる。移動性管理エンティティ（ＭＭＥ）が、登録されることができる。ページが、ＭＭＥから受信されることができる。アクセスプロシージャは、２度目にＨｅＮＢを用いて実行されることができる。ＵＥは、測定報告をＨｅＮＢに対して送信する前に、２度目にＨｅＮＢを用いてアクセスプロシージャを実行することができる。ＨｅＮＢの再選択を実行することは、ＨｅＮＢからのダウンリンク信号が、第２のｅＮＢからのダウンリンク信号と干渉しているので、起こることができる。
【００１６】
セル間干渉調整（ＩＣＩＣ）のために構成されたホーム進化型ノードＢ（ＨｅＮＢ）もまた、開示される。ＨｅＮＢは、プロセッサと、そのプロセッサと電子通信しているメモリと、を含む。実行可能命令が、メモリに記憶される。帯域幅の一部分が、ユーザ装置（ＵＥ）のために予約される。帯域幅の予約部分についての通知が、少なくとも１つの干渉する可能性がある進化型ノードＢ（ｅＮＢ）に対して送信される。データ交換が、帯域幅の予約部分を使用してＵＥを用いて実行される。帯域幅の予約部分を解放する通知が、干渉する可能性があるｅＮＢに対して送信される。
【００１７】
ダウンリンクのセル間干渉調整（ＩＣＩＣ）のために構成されたホーム進化型ノードＢ（ＨｅＮＢ）が、さらに開示される。ＨｅＮＢは、プロセッサと、そのプロセッサと電子通信しているメモリと、を含む。実行可能命令が、メモリに記憶される。データ交換が、ユーザ装置（ＵＥ）を用いて実行される。測定報告が、受信される。送信パワーが、第１のスルーレート(slew rate)で低減される。送信パワーは、第２のスルーレート(slew rate)で増大される。
【００１８】
ダウンリンクのセル間干渉調整（ＩＣＩＣ）のために構成されたユーザ装置（ＵＥ）もまた、開示される。ＵＥは、プロセッサと、そのプロセッサと電子通信しているメモリと、を含む。実行可能命令が、メモリに記憶される。受信信号強度が、ホーム進化型ノードＢ（ＨｅＮＢ）について測定される。測定報告が、作成される。測定報告は、ＨｅＮＢについての受信信号強度を含んでいる。測定報告は、第１の進化型ノードＢ（ｅＮＢ）に対して送信される。
【００１９】
セル間干渉調整（ＩＣＩＣ）のための装置もまた、開示される。本装置は、ユーザ装置（ＵＥ）のために帯域幅の一部分を予約するための手段を含んでいる。本装置は、少なくとも１つの干渉する可能性がある進化型ノードＢ（ｅＮＢ）に対して帯域幅の予約部分についての通知を送信するための手段を含んでいる。本装置はまた、帯域幅の予約部分を使用してＵＥとのデータ交換を実行するための手段も含んでいる。本装置は、帯域幅の予約部分を解放する通知を少なくとも１つの干渉する可能性があるｅＮＢに対して送信するための手段、をさらに含んでいる。
【００２０】
ダウンリンクのセル間干渉調整（ＩＣＩＣ）のための装置が、開示される。本装置は、ユーザ装置（ＵＥ）を用いてデータ交換を実行するための手段を含んでいる。本装置は、測定報告を受信するための手段を含んでいる。本装置はまた、第１のスルーレートで送信パワーを低減させるための手段と、第２のスルーレートで送信パワーを増大させるための手段と、を含む。
【００２１】
ダウンリンクのセル間干渉調整（ＩＣＩＣ）のための別の装置が、開示される。本装置は、ホーム進化型ノードＢ（ＨｅＮＢ）についての受信信号強度を測定するための手段を含んでいる。本装置は、測定報告を作成するための手段を含んでいる。測定報告は、ＨｅＮＢについての受信信号強度を含んでいる。本装置はまた、測定報告を第１の進化型ノードＢ（ｅＮＢ）に対して送信するための手段も含んでいる。
【００２２】
セル間干渉調整（ＩＣＩＣ）のために構成されたワイヤレスデバイスのためのコンピュータプログラムプロダクト(computer-program product)が、開示される。本コンピュータプログラムプロダクトは、命令をその上に有するコンピュータ可読媒体を含んでいる。命令は、ユーザ装置（ＵＥ）のために帯域幅の一部分を予約するためのコードを含んでいる。命令は、帯域幅の予約部分についての通知を少なくとも１つの干渉する可能性がある進化型ノードＢ（ｅＮＢ）に対して送信するためのコードを含んでいる。命令は、帯域幅の予約部分を使用してＵＥとのデータ交換を実行するためのコードを含んでいる。命令は、帯域幅の予約部分を解放する通知を少なくとも１つの干渉する可能性があるｅＮＢに対して送信するためのコードを含んでいる。
【００２３】
ダウンリンクのセル間干渉調整（ＩＣＩＣ）のために構成されたワイヤレスデバイスのための別のコンピュータプログラムプロダクトが、開示される。コンピュータプログラムプロダクトは、命令をその上に有するコンピュータ可読媒体を含んでいる。命令は、ユーザ装置（ＵＥ）とのデータ交換を実行するためのコードを含んでいる。命令は、測定報告を受信するためのコードを含んでいる。命令はまた、第１のスルーレートで送信パワーを低減させるためのコードと、第２のスルーレートで送信パワーを増大させるためのコードと、を含む。
【００２４】
さらに、ダウンリンクのセル間干渉調整（ＩＣＩＣ）のために構成されたワイヤレスデバイスのための別のコンピュータプログラムプロダクトが、開示される。コンピュータプログラムプロダクトは、命令をその上に有するコンピュータ可読媒体を含んでいる。命令は、ホーム進化型ノードＢ（ＨｅＮＢ）についての受信信号強度を測定するためのコードを含んでいる。命令は測定報告を作成するためのコードを含んでいる。測定報告は、ＨｅＮＢについての受信信号強度を含んでいる。命令は、測定報告を第１の進化型ノードＢ（ｅＮＢ）に対して送信するためのコードを含んでいる。
【００２５】
第３世代パートナーシッププロジェクト(3rd Generation Partnership Project)（３ＧＰＰ）は、グローバルに適用可能な第３世代（３Ｇ）モバイル電話仕様を定義することを目指した電気通信協会のグループの間の協調である。３ＧＰＰロングタームエボリューション(Long Term Evolution)（ＬＴＥ）は、ユニバーサルモバイルテレコミュニケーションシステム(Universal Mobile Telecommunications System)（ＵＭＴＳ）モバイル電話規格を改善することを目指した３ＧＰＰプロジェクトである。３ＧＰＰは、モバイルネットワークと、モバイルシステムと、モバイルデバイスとの次世代についての仕様を定義することができる。
【００２６】
３ＧＰＰ  ＬＴＥにおいては、移動局またはデバイスは、「ユーザ装置」（ＵＥ）と称されることができる。基地局は、進化型ノードＢ（ｅＮＢ）と称されることもできる。半自律の基地局は、ホームｅＮＢ（ＨｅＮＢ）と称されることもできる。それ故に、ＨｅＮＢは、ｅＮＢの一例とすることができる。ＨｅＮＢ、および／またはＨｅＮＢのカバレージエリアはフェムトセル、ＨｅＮＢセル、または閉鎖的な加入者グループ（ＣＳＧ）セルと称されることもできる。
【００２７】
図１は、複数のユーザ装置（ＵＥ）１０４と、ホーム進化型ノードＢ（ＨｅＮＢ）１１０と、進化型ノードＢ（ｅＮＢ）１０２と、中継ノード１０６と、コアネットワーク１０８と、を有するワイヤレス通信システム１００を示している。ｅＮＢ１０２は、ワイヤレス通信システムにおける中央基地局とすることができる。ＵＥ１０４は、端末、移動局、アクセス端末、加入者ユニット、局など、と呼ばれることもでき、そしてそれらの機能の一部または全部を含むことができる。ＵＥ１０４は、セルラ電話、携帯型個人情報端末(personal digital assistant)（ＰＤＡ）、ワイヤレスデバイス、ワイヤレスモデム、ハンドヘルドデバイス、ラップトップコンピュータなど、とすることができる。
【００２８】
コアネットワーク１０８は、電気通信ネットワークの中央ピースとすることができる。例えば、コアネットワーク１０８は、インターネット、他のＵＥなどとの通信を容易にすることができる。ＵＥ１０４は、ｅＮＢ１０２またはＨｅＮＢ１１０を通してコアネットワーク１０８と通信することができる。複数のＵＥ１０４は、ｅＮＢ１０２またはＨｅＮＢ１１０とワイヤレス通信することができる。
【００２９】
用語「ｅＮＢ」は、ＨｅＮＢ１１０が１タイプのｅＮＢであるように考えられることができるので、ｅＮＢ１０２を、またはＨｅＮＢ１１０を意味するために使用されることができる。ｅＮＢ１０２は、マクロ−ｅＮＢ１０２と称されることができる。
【００３０】
マクロ−ｅＮＢ１０２は、ＨｅＮＢ１１０よりもずっと大きな範囲を有することができる。さらに、マクロ−ｅＮＢ１０２は、コアネットワーク１０８に加入するＵＥ１０４ａに対して無制限のアクセスを提供することができる。対照的に、ＨｅＮＢ１１０は、閉鎖的な加入者グループ（ＣＳＧ）に属するＵＥ１０４ｂに対して制限されたアクセスを提供することができる。ＵＥ１０４は、与えられた時に単一のｅＮＢと通信することだけができることが、仮定されることができる。したがって、ＨｅＮＢ１１０と通信するＵＥ１０４ｂは、同時にマクロ−ｅＮＢ１０２と通信することはできない。
【００３１】
ｅＮＢのカバレージエリアは、セルと称されることができる。セクタリング(sectoring)に応じて、１つまたは複数のセルは、ｅＮＢによってサーブされる(served)ことができる。マクロ−ｅＮＢ１０２のカバレージエリアは、マクロ−セル１１２またはｅＮＢセルと称されることができる。同様に、ＨｅＮＢ１１０のカバレージエリアは、ＨｅＮＢ−セル１１４またはフェムトセルと称されることができる。
【００３２】
複数のｅＮＢは、コアネットワーク１０８を通して互いにバックホール接続を有することができる。例えば、バックホール接続は、ＨｅＮＢ１１０とｅＮＢ１０２との間に存在することができる。バックホール接続においては、ｅＮＢ１０２は、コアネットワーク１０８と通信する（１２６）ことができ、そしてコアネットワーク１０８は、対応してＨｅＮＢ１１０と通信する（１２８）ことができる。直接接続が、複数のｅＮＢの間に存在することもできる。例えば、直接接続が、ＨｅＮＢ１１０とｅＮＢ１０２との間に存在することができる。直接接続は、Ｘ２接続１２０とすることができる。Ｘ２インターフェースについての詳細は、３ＧＰＰ  ＴＳ３６．４２３  Ｘ２−ＡＰの中に見出されることができる。複数のｅＮＢは、中継ノード１０６の使用を通して接続１２２、１２４を有することもできる。１つのコンフィギュレーションにおいては、中継ノード１０６は、コアネットワーク１０８とすることができる。
【００３３】
マクロ−セル１１２についてのカバレージ範囲は、ＨｅＮＢ−セル１１４についてのカバレージ範囲よりもずっと大きいものとすることができる。１つのコンフィギュレーションにおいては、マクロ−セル１１２についてのカバレージ範囲は、ＨｅＮＢ−セル１１４についての全カバレージ範囲を含むことができる。
【００３４】
ＵＥ１０４は、アップリンク１１６とダウンリンク１１８との上の送信を経由して基地局（例えば、ｅＮＢ１０２またはＨｅＮＢ１１０）と通信することができる。アップリンク１１６（または逆方向リンク）は、ＵＥ１０４から基地局への通信リンクを意味し、そしてダウンリンク１１８（または順方向リンク）は、基地局からＵＥ１０４への通信リンクを意味する。したがって、ＵＥ１０４ａは、アップリンク１１６ａとダウンリンク１１８ａとを経由してｅＮＢ１０２と通信することができる。同様に、ＵＥ１０４ｂは、アップリンク１１６ｂとダウンリンク１１８ｂとを経由してＨｅＮＢ１１０と通信することができる。
【００３５】
ワイヤレス通信システム１００のリソース（例えば、帯域幅および送信パワー）は、複数のＵＥ１０４の間で共用されることができる。符号分割多元接続(code division multiple access)（ＣＤＭＡ）、時分割多元接続(time division multiple access)（ＴＤＭＡ）、周波数分割多元接続(frequency division multiple access)（ＦＤＭＡ）、直交周波数分割多元接続(orthogonal frequency division multiple access)（ＯＦＤＭＡ）、単一キャリア周波数分割多元接続（ＳＣ−ＦＤＭＡ）などを含めて、様々の多元接続技法が、知られている。
【００３６】
マクロ−セル１１２とワイヤレス通信するＵＥ１０４ａは、マクロ−ＵＥ１０４ａと称されることができる。ＨｅＮＢ−セル１１４とワイヤレス通信するＵＥ１０４ｂは、ＨｅＮＢ−ＵＥ１０４ｂと称されることができる。ＨｅＮＢ−セル１１４内に位置する１つまたは複数のマクロ−ＵＥ１０４ａは、ＨｅＮＢ−セル１１４を妨害する可能性がある。例えば、ＨｅＮＢ−セル１１４内に位置するマクロ−ＵＥ１０４ａは、ＨｅＮＢ−ＵＥ１０４ｂと、ＨｅＮＢ１１０との間の通信についての干渉を引き起こす可能性がある。同様に、ＨｅＮＢ−セル１１４内のマクロ−ＵＥ１０４ａは、干渉に起因してマクロセル１１２のカバレージを有することができない。アップリンク干渉１３０とダウンリンク干渉１３２との両方が起こる可能性がある。
【００３７】
ＣＳＧセル（ＨｅＮＢセル１１４）の中にＵＥ１０４が存在しない場合、干渉問題は存在しない可能性がある。ＵＥ１０４によるＣＳＧセルに対する正常な初期アクセスを可能にするために、ＣＳＧセルは、高い干渉の影響のバランスをとるために、オープンループパワー制御アルゴリズムに動的にバイアスをかけることができる。ＣＳＧセルは、アップリンク１１６とダウンリンク１１８とのバランスをとるために雑音を加えることもできる。
【００３８】
セル間干渉調整（ＩＣＩＣ）は、アップリンク干渉１３０および／またはダウンリンク干渉１３２を防止するために使用されることができる。周波数ＩＣＩＣ(Frequency ICIC)は、同期展開と非同期展開との両方の場合に、実現可能とすることができる。時間ＩＣＩＣ(Time ICIC)は、同期化された展開において実現可能とすることができる。しかしながら、非同期展開は、ＵＥ１０４のフィードバックを必要とする可能性がある。マクロ−セルＵＥ１０４ａからの干渉をゼロにすることなどのアンテナ技法が、アップリンクセル間干渉１３０を制御するために使用されることができる。
【００３９】
図２は、マクロ−ｅＮＢ２０２と、複数のＨｅＮＢ２１０とを有するワイヤレス通信システム２００である。ワイヤレス通信システム２００は、スケーラビリティの理由のためにＨｅＮＢゲートウェイ２３４を含むことができる。マクロ−ｅＮＢ２０２とＨｅＮＢゲートウェイ２３４とは、おのおの、移動性管理エンティティ（ＭＭＥ）２４２のプール２４０と、サービングゲートウェイ(serving gateways)（ＳＧＷ）２４６のプール２４４と、通信することができる。ＨｅＮＢゲートウェイ２３４は、専用のＳ１接続２３６についてのＣ−平面およびＵ−平面のリレーとして見える可能性がある。Ｓ１接続２３６は、進化型パケットコア(evolved packet core)（ＥＰＣ）と、進化型ユニバーサル地上波アクセスネットワーク(Evolved Universal Terrestrial Access Network)（ＥＵＴＲＡＮ）との間の境界として指定される論理インターフェースとすることができる。ＨｅＮＢゲートウェイ２３４は、ＥＰＣの観点からマクロ−ｅＮＢ２０２としての役割を果たすことができる。Ｃ−平面インターフェースは、Ｓ１−ＭＭＥとすることができ、そしてＵ−平面インターフェースは、Ｓ１−Ｕとすることができる。
【００４０】
ＨｅＮＢゲートウェイ２３４は、ＨｅＮＢ２１０に向かって単一のＥＰＣノードとしての役割を果たすことができる。ＨｅＮＢゲートウェイ２３４は、ＨｅＮＢ２１０についてのＳ１−柔軟接続(S1-flex connectivity)を保証することができる。ＨｅＮＢゲートウェイ２３４は、単一のＨｅＮＢ２１０が、ｎ個のＭＭＥ２４２と通信することができるように、１：ｎの中継機能を提供することができる。ＨｅＮＢゲートウェイ２３４は、Ｓ１セットアッププロシージャを経由してオペレーションに入れられるときに、ＭＭＥ２４２のプール２４０に向かって登録する。ＨｅＮＢゲートウェイ２３４は、ＨｅＮＢ２１０とのＳ１インターフェース２３６のセットアップをサポートすることができる。
【００４１】
ワイヤレス通信システム２００は、自己組織化ネットワーク（ＳＯＮ）サーバ２３８を含むこともできる。ＳＯＮサーバ２３８は、３ＧＰＰ  ＬＴＥネットワークの自動化された最適化を提供することができる。ＳＯＮサーバ２３８は、ワイヤレス通信システム２００に対するオペレーションおよびメンテナンス（Ｏ＆Ｍ）を改善するための主要ドライバとすることができる。Ｘ２リンク２２０は、マクロ−ｅＮＢ２０２と、ＨｅＮＢゲートウェイ２３４との間に存在することができる。Ｘ２リンク２２０はまた、共通のＨｅＮＢゲートウェイ２３４に接続されたＨｅＮＢ２１０のおのおのの間に存在することもできる。Ｘ２リンク２２０は、ＳＯＮサーバ２３８からの入力に基づいてセットアップされることができる。Ｘ２リンク２２０は、ＩＣＩＣ情報を搬送することができる。Ｘ２リンク２２０が、確立されることができない場合、Ｓ１リンク２３６は、ＩＣＩＣ情報を搬送するために使用されることができる。
【００４２】
図３は、アップリンクＩＣＩＣのための、ＵＥ３０４と、２つ以上のｅＮＢとの間の送信スキーム３００を示している。ｅＮＢのうちの１つは、ＨｅＮＢ３１０とすることができる。ＨｅＮＢ３１０は、ＵＥ３０４についてのコアネットワーク１０８に対する無制限のアクセスを提供することができる。ＵＥ３０４と、ＨｅＮＢ３１０とは、互いの間のアクセスプロシージャを実行する（３０１）ことができる。アクセスプロシージャは、ＵＥ３０４と、ｅＮＢまたはＨｅＮＢ３１０との間のメッセージの交換を備える。次いで、ＨｅＮＢ３１０は、ＳＯＮおよび／またはＯ＆Ｍを通して１つまたは複数の干渉するｅＮＢ３０２を識別する（３０３）ことができる。１つまたは複数の干渉するｅＮＢ３０２は、ＨｅＮＢおよび／またはマクロ−ｅＮＢとすることができる。干渉するｅＮＢ３０２は、ＵＥとのその通信が、ＨｅＮＢ３１０と、ＵＥ３０４との間の通信と干渉する近隣のｅＮＢとすることができる。１つまたは複数の干渉するｅＮＢ３０２は、隣接セルリストの中のＨｅＮＢ３１０上に記憶されることができる。隣接セルリストは、図１３に関連して以下でより詳細に論じられる。
【００４３】
ＨｅＮＢ３１０は、ＵＥ３０４についてのロード情報を決定することができる。ロード情報は、ＵＥ３０４についてのオーバーロード帯域および／または保護帯域を含むことができる。例えば、ＨｅＮＢ３１０は、ＨｅＮＢ３１０とのアップリンク通信１１６ｂの中で使用すべき、ＵＥ３０４についての特定の周波数リソースを決定することができる。ＨｅＮＢ３１０は、特定の周波数リソース上でアップリンク送信１１６ｂを送信するようにＵＥ３０４に指示することができる。１つのコンフィギュレーションにおいては、ＨｅＮＢ３１０は、干渉するｅＮＢ３０２とは異なる周波数帯域を使用することができる。例えば、ＨｅＮＢ３１０と、干渉するｅＮＢ３０２とは、おのおの、部分的周波数再利用(fractional frequency reuse)（ＦＦＲ）を使用することができる。ＦＦＲにおいては、ＨｅＮＢ３１０と、干渉するｅＮＢ３０２とは、同じ低パワーサブチャネルと一緒に同じ周波数帯域を使用するが、おのおのは、高パワーサブチャネルのうちのわずかだけを使用するにすぎない。帯域幅分割は、ＳＯＮサーバ２３８を通して遂行されることができる。ＦＦＲは、動的に管理されることができる。動的ＦＦＲは、ＣＳＧセルの初期展開のために重要な可能性がある。比較的少数のＣＳＧセルは、静的ＦＦＲまたは別個のキャリアを保証しない可能性がある。ＦＦＲは、ホッピング(hopping)と結合されることもできる。
【００４４】
ＨｅＮＢ３１０は、特定の周波数リソースを予約するために高干渉インジケータ(High Interference Indicator)（ＨＩＩ）を使用することができる。ＨＩＩは、高干渉レベルの影響を受けやすい周波数リソースを識別することができる。例えば、ＨｅＮＢ３１０は、ロード情報を１つまたは複数の干渉するｅＮＢ３０２に対して送信することにより、ロード情報を予約することができる。代わりに、ロード情報は、干渉する可能性があるｅＮＢに対して送信されることもできる。１つのコンフィギュレーションにおいては、マクロ−ｅＮＢ３０２は、マクロ−ＵＥのために帯域幅の一部分を予約するためにＨＩＩを使用することができる。マクロ−ｅＮＢ３０２は、マクロ−ｅＮＢ３０２のカバレージ範囲内のＣＳＧセルに対して予約帯域幅情報を送信することができる。ＨＩＩは、オペレータポリシー(operators policy)に基づいている。ＨＩＩにおいて、共通の帯域幅が、すべてのＣＳＧセルのために使用される。単一のマクロ−セル内の多数の可能性のあるＨｅＮＢに起因して、マクロ−ｅＮＢ３０２が、リソースを予約することが、非実用的な可能性がある。干渉管理は、ＣＳＧセル上のすべての制御チャネルが、物理アップリンク共用チャネル(Physical Uplink Shared Channel)（ＰＵＳＣＨ）にマッピングされ、そしてＩＣＩＣを用いて保護される場合には、より簡単になる可能性がある。
【００４５】
各マクロ−ＵＥは、それが、どのＣＳＧ−セルと干渉するかを知ることができる。しかしながら、ＣＳＧ−セルの数がワイヤレス通信ネットワーク内で増大するにつれて、多数のマクロ−ＵＥが、少なくとも１つのＣＳＧ−セルと干渉する可能性がずっと高くなる可能性がある。ＨｅＮＢ３１０は、すべてのサウンディング基準信号(sounding reference signals)（ＳＲＳ）についてスキャンし、そして任意の受信信号を隣接マクロ−セルに対して報告することができる。
【００４６】
１つのコンフィギュレーションにおいては、ＨｅＮＢ３１０は、ロード情報を中継ノード３０６に対して送信する（３０３）ことができる。次いで、中継ノード３０６は、ロード情報を１つまたは複数の干渉するｅＮＢ３０２に対して送信する（３０７）ことができる。Ｘ２インターフェース２２０が、ＨｅＮＢ３１０と、１つまたは複数の干渉するｅＮＢ３０２との間に存在する場合、ロード情報は、Ｘ２インターフェース２２０を通して干渉するｅＮＢ３０２に対して直接に送信されることができる。
【００４７】
次いで、ＵＥ３０４とＨｅＮＢ３１０との間のデータ交換３０９が、起こることができる。データ交換３０９は、ＵＥ３０４が、予約されたリソースを使用してアップリンク送信１１６ｂをＨｅＮＢ３１０に対して送信することを伴うことができる。次いで、ＨｅＮＢ３１０は、ＲＲＣ＿接続解放をＵＥ３０４に対して送信する（３１１）ことができる。ＲＲＣ＿接続解放は、予約リソースを使用してＨｅＮＢ３１０とのデータ交換３０９からＵＥ３０４を解放することができる。ＨｅＮＢ３１０が、ＵＥ３０４に対してＲＲＣ＿接続解放を送信した（３１１）後に、ＨｅＮＢ３１０は、予約リソースを解放するロード情報を干渉するｅＮＢ３０２に対して送信することができる。１つのコンフィギュレーションにおいては、ＨｅＮＢ３１０は、ロード情報を中継ノード３０６に対して送信する（３１３）ことができ、そして中継ノード３０６は、ロード情報を干渉するｅＮＢ３０２に対して送信する（３１５）ことができる。
【００４８】
ＨｅＮＢ３１０は、ＵＥ３０４が、十分な期間にわたって非アクティブであったときに、干渉するｅＮＢ３０２に対して、予約リソースを解放するロード情報を送信することもできる。例えば、ＨｅＮＢ３１０は、ＨｅＮＢ３１０が、ある期間にわたってＵＥ３０４からアップリンク送信１１６ｂを受信していない場合に、予約リソースを解放するロード情報を送信することができる。別の例としては、ＨｅＮＢ３１０は、ＵＥ３０４が、ＲＲＣ＿接続モードからＲＲＣ＿アイドルモードへのスイッチを示している場合に、予約リソースを解放するロード情報を送信することができる。
【００４９】
図４は、ＨｅＮＢ１１０によるアップリンクＩＣＩＣの一方法４００を示す流れ図である。ＨｅＮＢ１１０は、ＵＥ１０４ｂアクセスを可能にするアクセスプロシージャを実行する（４０２）ことができる。次いで、ＨｅＮＢ１１０は、ＵＥ１０４ｂのデータ交換のための使用可能な帯域幅の一部分を予約する（４０４）ことができる。特に、ＨｅＮＢ１１０は、ＵＥ１０４ｂが、アップリンクデータ送信１１６ｂのために使用すべき、使用可能な帯域幅の一部分を予約する（４０４）ことができる。
【００５０】
ＨｅＮＢ１１０は、接続モードにおけるＵＥ１０４ｂと、帯域幅の予約部分とについての通知を干渉する可能性があるｅＮＢに対して送信する（４０６）ことができる。干渉する可能性があるｅＮＢは、ＨｅＮＢおよび／またはマクロ−ｅＮＢを含むことができる。次いで、ＨｅＮＢ１１０は、ＵＥ１０４ｂとのデータ交換を実行する（４０８）ことができる。データ交換が停止している（４１０）ときに、ＨｅＮＢ１１０は、帯域幅の解放部分についての通知を干渉する可能性があるｅＮＢに対して送信する（４１２）ことができる。
【００５１】
上記で説明される図４の方法４００は、図４Ａに示される機能手段ブロック４００Ａに対応する様々なハードウェアおよび／またはソフトウェアのコンポーネント（単数または複数）および／またはモジュール（単数または複数）によって実行されることができる。言い換えれば、図４に示されるブロック４０２ないし４１２は、図４Ａに示される機能手段ブロック４０２Ａないし４１２Ａに対応する。
【００５２】
図５は、ダウンリンクＩＣＩＣのための、ＵＥ５０４と、移動性管理エンティティ（ＭＭＥ）５４２と、２つ以上のｅＮＢとの間の送信スキーム５００を示している。ＵＥ５０４は、マクロ−ＵＥとすることができる。例えば、ＵＥ５０４は、マクロ−セル１１２と通信していることができる。ｅＮＢのうちの１つは、ＨｅＮＢ５１０とすることができる。ＨｅＮＢ５１０は、制限されたＨｅＮＢとすることができる。例えば、ＨｅＮＢ５１０は、ＨｅＮＢ５１０のＣＳＧの一部分であるＵＥ５０４とのデータ交換を可能にすることだけができる。ＵＥ５０４は、ｅＮＢ５０２と通信することができる。ＵＥ５０４は、ＨｅＮＢ５１０のＣＳＧの一部分でなくてもよい。ＵＥ５０４は、たとえ制限されたＨｅＮＢ５１０が、ＵＥ５０４についてのデータ交換を可能にすることができなくても、制限されたＨｅＮＢ５１０の再選択を実行する（５０１）ことができる。例えば、ＵＥ５０４とマクロ−セル１１２との間のリンクが失敗する場合、ＵＥ５０４は、たとえＨｅＮＢ５１０が制限される場合でも、干渉するＨｅＮＢ５１０にアクセスすることができ、その結果、ＵＥ５０４は、測定報告を送信することができる。代わりに、失敗を防止するために、マクロ−ｅＮＢ５０２は、これらのセルについてのＨｅＮＢ５１０に対応する基準信号受信パワー(reference signal received power)（ＲＳＲＰ）が、最大のしきい値を超過する場合に、ギャップが、ＣＳＧ−セルをパワー制御することを要求することもできる。ギャップは、ＵＥ５０４が、サービングセルを監視することを必要とされない場合には、ある期間とすることができる。
【００５３】
ＵＥ５０４とＨｅＮＢ５１０とは、アクセスプロシージャを実行する（５０３）ことができる。次いで、ＵＥ５０４は、ＭＭＥ５４２に登録することによりＣＳＧ−セルに登録する（５０５）ことができる。次いで、ＵＥ５０４は、新しいトラッキングエリアを有することができる。移動性ベースのセル再選択パラメータは、ＵＥ５０４が、密集したＣＳＧセル環境を通して移動するときに、スケール変更することができる。
【００５４】
ＭＭＥ５４２は、ＵＥ５０４にページング(page)する（５０７）ことができる。ＵＥ５０４で終端されるコール(call)では、ＵＥ５０４は、最終登録ＣＳＧ−セルと、マクロネットワークトラッキングエリアとの上でページングされる（５０７）ことができる。ＵＥ５０４が、ＲＲＣ＿アイドル状態にあるときに、ＵＥ５０４は、ＭＭＥ５４２に登録することができ、その結果、ＵＥ５０４で終端されるコールの場合に、ネットワーク（ＭＭＥ５４２）は、ＵＥ５０４を見つけ、そしてページを送信することができる。ＵＥ５０４は、トラッキングエリア当たりに１つの登録を実行することができる。ＵＥ５０４は、たとえそのＣＳＧセルが、ＵＥ５０４に対してデータトラフィックをサーブすることができないとしても、ＣＳＧセルに登録することができる可能性がある（ＣＳＧセルはまた、トラッキングエリアを構成する）。ＵＥ５０４が、ＣＳＧセルに登録した後に、それ５０４は、ＣＳＧセル上でページングされることができ、そしてＵＥ５０４が、このページを受信した後に、ＵＥ５０４は、ＣＳＧセルにアクセスし、そしてそれをパワーダウンし、その結果、ＵＥ５０４は、マクロネットワークと通信することができる。ＵＥ５０４が、ＣＳＧセルにアクセスすることが許可されない場合には、ＣＳＧセルをパワーダウンすることができない可能性があり、それ故に、マクロＵＥは、停止するであろう。
【００５５】
ＵＥ５０４とＨｅＮＢ５１０とは、この場合にもアクセスプロシージャを実行する（５０９）ことができる。次いで、ＵＥ５０４は、測定報告をＨｅＮＢ５１０に対して送信する（５１１）ことができる。測定報告を受信するとすぐに、ＨｅＮＢ５１０は、測定報告に応じて送信パワーを調整する（５１３）ことができる。例えば、ＨｅＮＢ５１０は、ある期間にわたってＨｅＮＢ５１０の送信パワーを低減させることができる。
【００５６】
次いで、ＵＥ５０４と、ＨｅＮＢまたはマクロ−ｅＮＢ５０２とは、アクセスプロシージャを実行する（５１５）ことができる。ＵＥ５０４で開始されるコールと、ＵＥ５０４で終端されるコールとの両方では、ＵＥ５０４は、無線状態がそれを行うために十分であるときに、マクロ−ｅＮＢ５０２にアクセスすることができる。例えば、干渉するＨｅＮＢ５１０は、無線状態が、ＵＥ５０４がマクロ−セル１１２にアクセスするために十分であるように、送信パワーを調整する（５１３）ことができる。アクセスプロシージャの完了のすぐ後に、ＵＥ５０４と、ＨｅＮＢまたはマクロ−ｅＮＢ５０２との間のデータ交換５１７が、起こることができる。
【００５７】
部分的な同一チャネル展開の場合には、ＨｅＮＢ５１０が送信している場合に、どのようにしてＵＥ５０４が、リソースブロック(resource blocks)（ＲＢ）の中で基準信号(reference signal)（ＲＳ）上の測定値を考慮に入れるかについての規則が必要とされる可能性がある。例えば、ＵＥ５０４が、マクロ−セル１１２に部分的にオーバーラップするＨｅＮＢセル１１４を検出する場合、測定ギャップが必要とされる可能性がある。オーバーラップするＲＢでは、ＵＥ５０４は、ＲＳ測定値を無視する（すなわち、信号が存在しないことを仮定する）ことができる。ＵＥ５０４は、ｅＮＢ１０２が、適切にパケットデータ制御チャネル(Packet Data Control Channel)（ＰＤＣＣＨ）のパワーを制御することを保証するために、効果的に、より低いチャネル品質インジケータ(channel quality indicators)（ＣＱＩ）を報告することができる。ＵＥ５０４は、万一ＨｅＮＢ５１０が、これらのＲＢ上で干渉を引き起こしている場合に、ＣＱＩを受信することができる可能性がある。
【００５８】
図６は、ＨｅＮＢ１１０によるダウンリンクＩＣＩＣのための一方法６００を示す流れ図である。ＨｅＮＢ１１０は、ＵＥ１０４ｂとのデータ交換を実行する（６０２）ことができる。次いで、ＨｅＮＢ１１０は、測定報告を受信する（６０４）ことができる。ＨｅＮＢ１１０は、ＵＥ１０４ｂから測定報告を受信する（６０４）ことができる。代わりに、ＨｅＮＢ１１０は、別のＵＥ１０４から測定報告を受信する（６０４）こともできる。さらに代わりに、ＨｅＮＢ１１０は、マクロ−ｅＮＢ１０２または別のＨｅＮＢから測定報告を受信する（６０４）こともできる。ＨｅＮＢ１１０は、バックホールシグナリング (backhaul signaling)を経由してマクロ−ｅＮＢ１０２から測定報告を受信する（６０４）ことができる。
【００５９】
ＨｅＮＢ１１０は、第１のスルーレートで送信パワーを低減させる（６０６）ことができる。ＨｅＮＢ１１０は、マクロ−セル１１２のＲＳＲＰが最小のしきい値より下にあり、そしてマクロ−セル基準信号受信品質(reference signal received quality)（ＲＳＲＱ）が最小のしきい値の下にある場合に、ＵＥ１０４ｂによってＨｅＮＢ１１０から受信される基準信号受信パワー（ＲＳＲＰ）が、最大のしきい値より下にあるように、送信パワーを低減させる（６０６）ことが、必要とされる可能性がある。ＨｅＮＢ１１０は、第１のスルーレートを使用して最大のＲＳＲＰしきい値を満たすように送信パワーを低減させる（６０６）ことができる。第１のスルーレートは、デシベル（ｄＢ）／ミリ秒（ｍｓ）の単位にすることができる。例えば、第１のスルーレートは、ｌｄＢ／ｍｓとすることができる。一般に、パワーは、マクロＵＥが、良好なチャネルを有することができるまで、低減されることができる。
【００６０】
次いで、ＨｅＮＢ１１０は、タイマを開始する（６０８）ことができる。タイマが経過する（６１０）ときに、ＨｅＮＢ１１０は、第２のスルーレートで送信パワーを増大させる（６１２）ことができる。第２のスルーレートもまた、ｄＢ／ｍｓの単位にすることができる。ＨｅＮＢ１１０は、最小の結合損失を明らかにした後に最大のＲＳＲＱよりも大きなパワーを送信しないように用意されることができる。これは、ＨｅＮＢ１１０において機能するレシーバを必要とする可能性がある。ＨｅＮＢ１１０の近くの受信品質を推定するために、ＨｅＮＢ１１０は、受信信号（ホームＵＥについての干渉を作り出す他のセルからの）を推定し、そしてそれが送信パワーと最小の結合損失とを明らかにした後に、ＲＳＲＱを計算することができる。
【００６１】
上記で説明される図６の方法６００は、図６Ａに示される機能手段ブロック６００Ａに対応する様々なハードウェアおよび／またはソフトウェアのコンポーネント（単数または複数）および／またはモジュール（単数または複数）によって実行されることができる。言い換えれば、図６に示されるブロック６０２ないし６１２は、図６Ａに示される機能手段ブロック６０２Ａないし６１２Ａに対応する。
【００６２】
図７は、ＵＥ１０４ｂによるダウンリンクＩＣＩＣのための一方法７００を示す流れ図である。ＵＥ１０４ｂは、ｅＮＢとのデータ交換を実行する（７０２）ことができる。１つのコンフィギュレーションにおいては、ｅＮＢは、マクロ−ｅＮＢ１０２とすることができる。代わりに、ｅＮＢは、ＨｅＮＢ１１０とすることもできる。次いで、ＵＥ１０４ｂは、ＨｅＮＢ１１０からの受信信号強度を測定する（７０４）ことができる。ＵＥ１０４ｂは、物理レイヤプロシージャを使用して受信信号強度を測定する（７０４）ことができる。ＵＥ１０４ｂは、ｅＮＢからの同期信号を検出することができ、次いでそれは、信号強度測定を実行することができる。ＵＥ１０４ｂは、受信信号強度を測定報告の中に用意することができる。次いで、ＵＥ１０４ｂは、測定報告をｅＮＢに対して送信する（７０６）ことができる。ｅＮＢは、ＵＥ１０４ｂがデータ交換を実行した相手のｅＮＢとすることができる。代わりに、ｅＮＢは、異なるｅＮＢとすることもできる。１つのコンフィギュレーションにおいては、ＵＥ１０４ｂは、測定報告をＨｅＮＢ１１０に対して送信する（７０６）ことができる。
【００６３】
上記で説明される図７の方法７００は、図７Ａに示される機能手段ブロック７００Ａに対応する様々なハードウェアおよび／またはソフトウェアのコンポーネント（単数または複数）および／またはモジュール（単数または複数）によって実行されることができる。言い換えれば、図７に示されるブロック７０２ないし７０６は、図７Ａに示される機能手段ブロック７０２Ａないし７０６Ａに対応する。
【００６４】
図８は、ＵＥ１０４ｂによるダウンリンクＩＣＩＣのための別の方法８００を示す流れ図である。ＵＥ１０４ｂは、無制限のｅＮＢ１０２からの制限されたＨｅＮＢ１１０の再選択を実行する（８０２）ことができる。ＵＥ１０４ｂは、マクロ−セル１１２が適切でなく、そして使用可能な他の周波数が存在しない場合に、制限されたＨｅＮＢ１１０にアクセスすることが許可されることができる。ＵＥ１０４ｂはまた、マクロ−セル１１２との接続が失敗し、そして使用可能な他の周波数が存在しない場合に、制限されたＨｅＮＢ１１０にアクセスすることが許可されることもできる。次いで、ＵＥ１０４ｂは、ＭＭＥ２４２に登録する（８０４）ことができる。ＵＥ１０４ｂは、ＭＭＥ２４２からページを受信する（８０６）ことができる。
【００６５】
次いで、ＵＥ１０４ｂは、制限されたＨｅＮＢ１１０の受信信号強度を測定する（８０８）ことができる。ＵＥ１０４ｂは、ＵＥ１０４ｂが検出することができる他のｅＮＢ１０２の受信信号強度を測定する（８１０）こともできる。ＵＥ１０４ｂは、制限されたＨｅＮＢ１１０の受信信号強度を含む測定報告を作成することができる。測定報告は、ＵＥ１０４ｂが検出することができた他の任意のｅＮＢ１０２の受信信号強度を含むこともできる。
【００６６】
ＵＥ１０４ｂは、この場合にも、制限されたＨｅＮＢ１１０にアクセスする（８１２）ことができる。次いで、ＵＥ１０４ｂは、測定報告を制限されたＨｅＮＢ１１０に対して送信する（８１４）ことができる。ＵＥ１０４ｂは、次に、無制限のｅＮＢ１０２にアクセスする（８１６）ことができる。ＵＥ１０４ｂは、無線状態が十分であるときに、無制限のｅＮＢ１０２にアクセスする（８１６）ことができる。次いで、ＵＥ１０４ｂは、無制限のｅＮＢ１０２とのデータ交換を実行する（８１８）ことができる。
【００６７】
上記で説明される図８の方法８００は、図８Ａに示される機能手段ブロック８００Ａに対応する様々なハードウェアおよび／またはソフトウェアのコンポーネント（単数または複数）および／またはモジュール（単数または複数）によって実行されることができる。言い換えれば、図８に示されるブロック８０２ないし８１８は、図８Ａに示される機能手段ブロック８０２Ａないし８１８Ａに対応する。
【００６８】
図９は、ダウンリンクＩＣＩＣのための、ＵＥ９０４と、制限されたＨｅＮＢ９１０と、１つまたは複数の無制限のｅＮＢ９０２との間の送信スキーム９００を示している。データ交換９０１は、ＵＥ９０４と、無制限のｅＮＢ９０２との間で起こることができる。次いで、ＵＥ９０４は、ＨｅＮＢ９１０に対応する測定報告を無制限のｅＮＢ９０２に対して送信する（９０３）ことができる。無制限のｅＮＢ９０２は、ＨｅＮＢ９１０に対応する測定報告を中継ノード９０６に対して送信する（９０５）ことができる。次いで、中継ノード９０６は、制限されたＨｅＮＢ９１０に対応する測定報告を制限されたＨｅＮＢ９１０送信する（９０７）ことができる。
【００６９】
測定報告を受信するとすぐに、制限されたＨｅＮＢ９１０は、送信パワーを調整する（９０９）ことができる。例えば、制限されたＨｅＮＢ９１０は、低減スルーレートだけ、送信パワーを低減させることができる。ＨｅＮＢ９１０は、受信測定報告に応じて送信パワーを調整する（９０９）ことが必要とされる可能性がある。例えば、ＨｅＮＢ９１０は、ダウンリンクパワー制御を実行することが必要とされる可能性がある。ダウンリンクパワー制御は、Ｓ１  ２３６を通してなど、バックホールシグナリングを通して容易にされることができる。次いで、データ交換９１１は、ＵＥ９０４と、無制限のｅＮＢ９０２との間で起こることができる。
【００７０】
図１０は、ｅＮＢによるダウンリンクＩＣＩＣのための一方法１０００を示す流れ図である。ｅＮＢは、マクロ−ｅＮＢ１０２とすることができる。代わりに、ｅＮＢは、ＨｅＮＢ１１０とすることができる。ｅＮＢは、無制限のｅＮＢとすることができる。ｅＮＢは、ＵＥ１０４とのデータ交換を実行する（１００２）ことができる。ｅＮＢは、ＵＥ１０４から制限されたＨｅＮＢ１１０についての測定された信号強度を受信する（１００４）ことができる。次に、ｅＮＢは、ｅＮＢのＲＳＲＰとＲＳＲＱとが、最小のしきい値より上にあるように、制限されたＨｅＮＢ１１０の送信パワーを決定する（１００６）ことができる。次いで、ｅＮＢは、決定されたパワー制御要件を制限されたＨｅＮＢ１１０に対して送信する（１００８）ことができる。
【００７１】
上記で説明された図１０の方法１０００は、図１０Ａに示される機能手段ブロック１０００Ａに対応する様々なハードウェアおよび／またはソフトウェアのコンポーネント（単数または複数）および／またはモジュール（単数または複数）によって実行されることができる。言い換えれば、図１０に示されるブロック１００２ないし１００８は、図１０Ａに示される機能手段ブロック１００２Ａないし１００８Ａに対応する。
【００７２】
図１１は、ダウンリンクＩＣＩＣのための、ＵＥ１１０４と、ＨｅＮＢ１１１０と、１つまたは複数の無制限のｅＮＢ１１０２との間の送信スキーム１１００を示している。データ交換１１０１は、ＵＥ１１０４と、ＨｅＮＢ１１１０との間で起こることができる。次いで、ＨｅＮＢ１１１０は、ＨｅＮＢ１１１０とＵＥ１１０４との間のダウンリンク送信のために周波数帯域の一部分を予約することができる。次いでＨｅＮＢ１１１０は、周波数帯域の予約部分などのロード情報を中継ノード１１０６に対して送信する（１１０３）ことができる。ロード情報は、保護されたサブバンドを含むことができる。中継ノード１１０６は、１つまたは複数の無制限のｅＮＢ１１０２に対してロード情報を送信する（１１０５）ことができる。１つまたは複数の無制限のｅＮＢ１１０２は、受信されたロード情報に応じてスケジューリングを調整する（１１０７）ことができる。例えば、１つまたは複数の無制限のｅＮＢ１１０２は、ＨｅＮＢ１１１０とのセル間干渉を回避するためにダウンリンクスケジューリングを調整する（１１０７）ことができる。次いで、データ交換１１０９は、ＵＥ１１０４と、ＨｅＮＢ１１１０との間で起こることができる。
【００７３】
図１２は、本方法および本装置の中で使用するためのＵＥ１２０４の様々なコンポーネントを示すブロック図である。ＵＥ１２０４は、測定報告１２４８を含むことができる。測定報告１２４８は、制限されたＨｅＮＢによって受信された信号強度１２５２を含むことができる。測定報告１２４８は、１つまたは複数の無制限のｅＮＢによって受信された信号強度１２５０を含むこともできる。ＵＥ１２０４は、ＨｅＮＢ１１０および／またはｅＮＢ１０２に対して送信されるべき測定報告１２４８を作成することができる。ＵＥ１２０４は、ＨｅＮＢ１１０との通信のための予約リソース１２７４を含むこともできる。
【００７４】
図１３は、本方法および本装置の中で使用するためのｅＮＢ１３０２の様々なコンポーネントを示すブロック図である。ｅＮＢ１３０２は、制限されたＨｅＮＢ１１０、無制限のＨｅＮＢ１１０、またはマクロ−ｅＮＢ１０２とすることができる。ｅＮＢ１３０２は、受信された測定報告１３５４を含むことができる。ｅＮＢ１３０２は、ＵＥ１０４から測定報告１３５４を受信することができる。受信された測定報告１３５４は、ｅＮＢ１３０２についてのパワー測定値および／またはパワー制御を含むことができる。代わりに、受信された測定報告１３５４は、ｅＮＢ１３０２が、測定報告を転送することになる相手のＨｅＮＢ１１０についてのパワー測定値および／またはパワー制御を含むこともできる。
【００７５】
ｅＮＢ１３０２は、隣接セルリスト生成モジュール１３５６を含むこともできる。隣接セルリスト生成モジュール１３５６は、隣接セルリスト１３５８を生成することができる。隣接セルリスト１３５８は、１つまたは複数の干渉するｅＮＢ１０２のリストを含むことができる。上記で論じられるように、干渉するｅＮＢは、ＵＥ１０４とのその通信が、ｅＮＢ１３０２とＵＥ１０４との間の通信と干渉する近隣のｅＮＢとすることができる。隣接セルリスト１３５８は、１つまたは複数の干渉する可能性があるｅＮＢ１０２のリストを含むこともできる。
【００７６】
隣接セルリスト生成モジュール１３５６は、隣接セルリスト１３５８を生成することができる。隣接セルリスト生成モジュール１３５６は、ＣＳＧ  ｅＮＢ測定値に基づいて隣接セルリスト１３５８を生成することができる。ＣＳＧ  ｅＮＢ測定値は、ｅＮＢからの受信信号強度のＨｅＮＢによる測定値とすることができる。隣接セルリスト生成モジュール１３５６は、ＵＥ１０４の測定値に基づいて隣接セルリスト１３５８を生成することもできる。ＵＥ１０４の測定値は、ＳＯＮ機能を含むことができる。
【００７７】
ｅＮＢ１３０２は、ロード情報１３６６を含むこともできる。ロード情報１３６６は、ｅＮＢ１３０２および／またはＵＥ１０４についてのオーバーロード帯域および／または保護帯域を含むことができる。例えば、ロード情報１３６６は、ＵＥ１０４とのアップリンク通信および／またはダウンリンク通信のための帯域幅の予約部分を含むことができる。ｅＮＢ１３０２は、ｅＮＢ１３０２についての送信パワー１３７０を含むことができる。送信パワー１３７０は、ｅＮＢ１３０２が、ＵＥ１０４に対する送信をダウンリンク上で送信するときに使用する送信パワー１３７０とすることができる。
【００７８】
ｅＮＢ１３０２は、パワー低減モジュール１３６２を含むことができる。パワー低減モジュール１３６２は、いつ送信パワー１３７０を低減すべきか、または増大すべきかを決定することができる。パワー低減モジュール１３６２は、送信パワー１３７０の変化のレートまたは量を決定することもできる。パワー低減モジュール１３６２は、タイマ１３６４ａを含むこともできる。パワー低減モジュール１３６２は、どれだけ長い間送信パワー１３７０が、低減されたレベルにとどまるべきか、を決定するためにタイマ１３６４ａを使用することができる。
【００７９】
パワー低減モジュール１３６２は、送信パワー低減スルーレート１３６６を含むこともできる。送信パワー低減スルーレート１３６６は、ｅＮＢ１３０２の送信パワー１３７０が、低減される必要があるときに、ｅＮＢ１３０２についての送信パワー１３７０の低減のレートを定義することができる。送信パワー低減スルーレート１３６６は、ｄＢ／ｍｓの単位にすることができる。パワー低減モジュール１３６２は、送信パワー増大スルーレート１３６８を含むこともできる。送信パワー増大スルーレート１３６８は、タイマ１３６４ａの有効期限が切れた後に送信パワー１３７０が増大されるレートを定義することができる。送信パワー増大スルーレート１３６８もまた、ｄＢ／ｍｓの単位にすることができる。
【００８０】
ｅＮＢ１３０２は、リソース予約モジュール１３７２を含むことができる。リソース予約モジュール１３７２は、ＵＥ１０４との通信のためのリソースをスケジュールすることができる。例えば、リソース予約モジュール１３７２は、ＵＥ１０４との通信のための予約リソース１３７４のリストを含むことができる。リソース予約モジュール１３７２は、タイマ１３６４ｂを含むこともできる。リソース予約モジュール１３７２は、通信がＵＥ１０４から受信される前にタイマが経過している場合に、予約リソース１３７４を解放することができる。
【００８１】
図１４は、ＵＥ１４０４内に含まれることができるある種のコンポーネントを示している。ＵＥ１４０４は、モバイルデバイス／移動局とすることができる。移動局の例は、セルラ電話、ハンドヘルドワイヤレスデバイス、ワイヤレスモデム、ラップトップコンピュータ、パーソナルコンピュータなどを含む。移動局は、代わりに、アクセス端末、モバイル端末、加入者局、リモート局、ユーザ端末、端末、加入者ユニット、ユーザ装置などと称されることもできる。
【００８２】
ＵＥ１４０４は、プロセッサ１４０３を含んでいる。プロセッサ１４０３は、汎用のシングルチップまたはマルチチップのマイクロプロセッサ（例えば、ＡＲＭ）、専用マイクロプロセッサ（例えば、デジタル信号プロセッサ(digital signal processor)（ＤＳＰ））、マイクロコントローラ、プログラマブルゲートアレイなどとすることができる。プロセッサ１４０３は、中央演算処理装置(central processing unit)（ＣＰＵ）と称されることができる。単一のプロセッサ１４０３だけが、図１４のＵＥ１４０４の中に示されるが、代替コンフィギュレーションにおいては、プロセッサの組合せ（例えばＡＲＭおよびＤＳＰ）が、使用されることもできる。
【００８３】
ＵＥ１４０４は、メモリ１４０５も含んでいる。メモリ１４０５は、電子情報を記憶することができる任意の電子コンポーネントとすることができる。メモリ１４０５は、それらの組合せを含めて、ランダムアクセスメモリ(random access memory)（ＲＡＭ）、リードオンリーメモリ(read only memory)（ＲＯＭ）、磁気ディスクストレージ媒体、光ストレージ媒体、ＲＡＭの中のフラッシュメモリデバイス、プロセッサと共に含まれるオンボードメモリ、ＥＰＲＯＭメモリ、ＥＥＰＲＯＭメモリ、レジスタなどとして実施されることができる。
【００８４】
データ１４０９と、命令１４０７とは、メモリ１４０５に記憶されることができる。命令１４０７は、ここにおいて開示される方法をインプリメントするためにプロセッサ１４０３によって実行可能とすることができる。命令１４０７を実行することは、メモリ１４０５に記憶されるデータ１４０９の使用を必要とする可能性がある。プロセッサ１４０３が、命令１４０７を実行するときに、命令の様々な部分１４０７ａは、プロセッサ１４０３上へとロードされることができ、そしてデータの様々なピース１４０９ａは、プロセッサ１４０３上へとロードされることができる。
【００８５】
ＵＥ１４０４は、ＵＥ１４０４への信号の送信と、ＵＥ１４０４からの信号の受信とを可能にするためにトランスミッタ１４１１と、レシーバ１４１３とを含むこともできる。トランスミッタ１４１１と、レシーバ１４１３とは、一括してトランシーバ１４１５と称されることができる。アンテナ１４１７は、トランシーバ１４１５に電気的に結合されることができる。ＵＥ１４０４は、複数のトランスミッタ、複数のレシーバ、複数のトランシーバ、および／または複数のアンテナを含むこともできる（図示されず）。
【００８６】
ＵＥ１４０４の様々なコンポーネントは、１つまたは複数のバスによって一緒に結合されることができ、これらのバスは、パワーバス、制御信号バス、ステータス信号バス、データバスなどを含むことができる。明確にするために、様々なバスは、バスシステム１４１９として図１４の中に示される。
【００８７】
図１５は、ｅＮＢ１５０２内に含まれることができるある種のコンポーネントを示している。ｅＮＢ１５０２は、基地局とすることができる。例えば、ｅＮＢは、３ＧＰＰ  ＬＴＥワイヤレス通信システムの中の中央基地局とすることができる。別の例として、ｅＮＢ１５０２は、３ＧＰＰ  ＬＴＥワイヤレス通信システム用のＨｅＮＢ１１０とすることができる。
【００８８】
ｅＮＢ１５０２は、プロセッサ１５０３を含んでいる。プロセッサ１５０３は、汎用のシングルチップまたはマルチチップのマイクロプロセッサ（例えば、ＡＲＭ）、専用マイクロプロセッサ（例えば、デジタル信号プロセッサ（ＤＳＰ））、マイクロコントローラ、プログラマブルゲートアレイなどとすることができる。プロセッサ１５０３は、中央演算処理装置（ＣＰＵ）と称されることができる。単一のプロセッサ１５０３だけが、図１５のｅＮＢ１５０２の中に示されるが、代替コンフィギュレーションにおいては、プロセッサの組合せ（例えばＡＲＭおよびＤＳＰ）が、使用されることもできる。
【００８９】
ｅＮＢ１５０２は、メモリ１５０５も含んでいる。メモリ１５０５は、電子情報を記憶することができる任意の電子コンポーネントとすることができる。メモリ１５０５は、それらの組合せを含めて、ランダムアクセスメモリ（ＲＡＭ）、リードオンリーメモリ（ＲＯＭ）、磁気ディスクストレージ媒体、光ストレージ媒体、ＲＡＭの中のフラッシュメモリデバイス、プロセッサと共に含まれるオンボードメモリ、ＥＰＲＯＭメモリ、ＥＥＰＲＯＭメモリ、レジスタなどとして実施されることができる。
【００９０】
データ１５０９と、命令１５０７とは、メモリ１５０５に記憶されることができる。命令１５０７は、ここにおいて開示される方法をインプリメントするためにプロセッサ１５０３によって実行可能とすることができる。命令１５０７を実行することは、メモリ１５０５に記憶されるデータ１５０９の使用を必要とする可能性がある。プロセッサ１５０３が、命令１５０７を実行するときに、命令の様々な部分１５０７ａは、プロセッサ１５０３上へとロードされることができ、そしてデータの様々なピース１５０９ａは、プロセッサ１５０３上へとロードされることができる。
【００９１】
ｅＮＢ１５０２は、ｅＮＢ１５０２への信号の送信と、ｅＮＢ１５０２からの信号の受信とを可能にするためにトランスミッタ１５１１と、レシーバ１５１３とを含むこともできる。トランスミッタ１５１１と、レシーバ１５１３とは、一括してトランシーバ１５１５と称されることができる。アンテナ１５１７は、トランシーバ１５１５に電気的に結合されることができる。ｅＮＢ１５０２は、複数のトランスミッタ、複数のレシーバ、複数のトランシーバ、および／または複数のアンテナを含むこともできる（図示されず）。
【００９２】
ｅＮＢ１５０２の様々なコンポーネントは、１つまたは複数のバスによって一緒に結合されることができ、これらのバスは、パワーバス、制御信号バス、ステータス信号バス、データバスなどを含むことができる。明確にするために、様々なバスは、バスシステム１５１９として図１５の中に示される。
【００９３】
用語「決定すること(determining)」は、多種多様なアクションを包含しており、そしてそれ故に、「決定すること」は、算出することと、計算することと、処理することと、導き出すことと、調査することと、調べることと（例えば、表、データベース、または別のデータ構造において調べることと）、確認することなどと、を含むことができる。また「決定すること」は、受信することと（例えば、情報を受信することと）、アクセスすること（例えば、メモリのデータにアクセスすること）などと、を含むことができる。また、「決定すること」は、解決することと、選択することと、選ぶことと、確立することなどと、を含むことができる。
【００９４】
フレーズ「に基づいて(based on)」は、その他の方法で、明示的に指定されない限り、「だけに基づいて(based only on)」を意味してはいない。言い換えれば、フレーズ「に基づいて」は、「だけに基づいて」と、「に少なくとも基づいて」との両方を説明している。
【００９５】
用語「プロセッサ」は、汎用プロセッサと、中央演算処理装置（ＣＰＵ）と、マイクロプロセッサと、デジタル信号プロセッサ（ＤＳＰ）と、コントローラと、マイクロコントローラと、状態機械などと、を包含するように広く解釈されるべきである。いくつかの状況の下では、「プロセッサ」は、特定用途向け集積回路(application specific integrated circuit)（ＡＳＩＣ）、プログラマブル論理デバイス(programmable logic device)（ＰＬＤ）、フィールドプログラマブルゲートアレイ(field programmable gate array)（ＦＰＧＡ）などを意味することができる。用語「プロセッサ」は、処理デバイスの組合せ、例えば、ＤＳＰとマイクロプロセッサとの組合せ、複数のマイクロプロセッサ、ＤＳＰコアと組み合わされた１つまたは複数のマイクロプロセッサ、または他のそのような任意のコンフィギュレーション、を意味することができる。
【００９６】
用語「メモリ」は、電子情報を記憶することができる任意の電子コンポーネントを包含するように広く解釈されるべきである。用語メモリは、ランダムアクセスメモリ（ＲＡＭ）、リードオンリーメモリ（ＲＯＭ）、不揮発性ランダムアクセスメモリ(non-volatile random access memory)（ＮＶＲＡＭ）、プログラマブルリードオンリーメモリ(programmable read-only memory)（ＰＲＯＭ）、消去可能プログラマブルリードオンリーメモリ(erasable programmable read only memory)（ＥＰＲＯＭ）、電気的消去可能ＰＲＯＭ(electrically erasable PROM)（ＥＥＰＲＯＭ）、フラッシュメモリ、磁気または光学的データストレージ、レジスタなど、様々なタイプのプロセッサ可読媒体を意味することができる。メモリは、プロセッサが、そのメモリから情報を読み取り、かつ／またはそのメモリに情報を書き込むことができる場合に、プロセッサと電子通信していると言われる。プロセッサと一体化されたメモリは、そのプロセッサと電子通信している。
【００９７】
用語「命令」および「コード」は、任意のタイプのコンピュータ可読ステートメント（単数または複数）を含むように広く解釈されるべきである。例えば、用語「命令」および「コード」は、１つまたは複数のプログラム、ルーチン、サブルーチン、ファンクション (functions)、プロシージャなどを意味することができる。「命令」および「コード」は、単一のコンピュータ可読ステートメント、または多数のコンピュータ可読ステートメントを備えることができる。
【００９８】
ここにおいて説明される機能(functions)は、ハードウェア、ソフトウェア、ファームウェア、またはそれらの任意の組合せの形でインプリメントされることができる。ソフトウェアの形でインプリメントされる場合、機能は、コンピュータ可読媒体上に１つまたは複数の命令として記憶されることができる。用語「コンピュータ可読媒体」または「コンピュータプログラムプロダクト(computer-program product)」は、コンピュータによってアクセスされることができる使用可能な任意の媒体を意味する。例として、限定するものではないが、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコードを搬送しまたは記憶するために使用されることができ、そしてコンピュータによってアクセスされることができる他の任意の媒体、を備えることができる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピー（登録商標）ディスク、およびブルーレイ(Blu-ray)（登録商標）ディスク(disc)を含み、ここでディスク(disks)は通常、データを磁気的に再生するが、ディスク(discs)は、レーザを用いて光学的にデータを再生する。
【００９９】
ソフトウェアまたは命令は、送信媒体上で送信されることもできる。例えば、ソフトウェアが、同軸ケーブル、光ファイバケーブル、ツイストペア(twisted pair)、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、送信媒体の定義の中に含まれる。
【０１００】
ここにおいて開示される方法は、説明された方法を達成するための１つまたは複数のステップまたはアクションを備える。方法のステップおよび／またはアクションは、特許請求の範囲の範囲を逸脱することなく、互に交換されることができる。言い換えれば、ステップまたはアクションの特定の順序が、説明されている方法の適切なオペレーションのために必要とされない限り、特定のステップおよび／またはアクションの順序および／または使用は、特許請求の範囲の範囲を逸脱することなく修正されることができる。
【０１０１】
さらに、図４、６、７、８および１０によって示されるものなど、ここにおいて説明される方法および技法を実行するためのモジュールおよび／または他の適切な手段は、デバイスによってダウンロードされ、かつ／または別の方法で得られることができることを理解すべきである。例えば、デバイスは、ここにおいて説明される方法を実行するための手段の転送を容易にするためにサーバに結合されることができる。代わりに、ここにおいて説明される様々な方法は、デバイスが、ストレージ手段をデバイスに対して結合したすぐ後、または提供したすぐ後に、様々な方法を得ることができるように、ストレージ手段（例えば、ランダムアクセスメモリ（ＲＡＭ）、リードオンリーメモリ（ＲＯＭ）、コンパクトディスク（ＣＤ）やフロッピーディスクなどの物理ストレージ媒体など）を経由して提供されることができる。さらに、ここにおいて説明される方法および技法をデバイスに対して提供するための他の適切な任意の技法が、利用されることができる。
【０１０２】
特許請求の範囲は、上記に示される正確なコンフィギュレーションおよびコンポーネントだけには限定されないことを理解すべきである。様々な修正、変更および変形が、特許請求の範囲の範囲を逸脱することなく、ここにおいて説明されるシステム、方法、および装置の構成、オペレーションおよび詳細の中で行われることができる。
【図１】
2014195315.tif 000003
【図２】
2014195315.tif 000004
【図３】
2014195315.tif 000005
【図４】
2014195315.tif 000006
【図４Ａ】
2014195315.tif 000007
【図５】
2014195315.tif 000008
【図６】
2014195315.tif 000009
【図６Ａ】
2014195315.tif 000010
【図７】
2014195315.tif 000011
【図７Ａ】
2014195315.tif 000012
【図８】
2014195315.tif 000013
【図８Ａ】
2014195315.tif 000014
【図９】
2014195315.tif 000015
【図１０】
2014195315.tif 000016
【図１０Ａ】
2014195315.tif 000017
【図１１】
2014195315.tif 000018
【図１２】
2014195315.tif 000019
【図１３】
2014195315.tif 000020
【図１４】
2014195315.tif 000021
【図１５】
2014195315.tif 000022
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
移動局によるダウンリンクのセル間干渉調整のための方法であって、
第１の基地局についての受信信号強度を測定することと；
測定報告を作成することと、なお前記測定報告は、前記第１の基地局についての前記受信信号強度を含む；
前記第１の基地局とアクセスプロシージャを実行することと；
前記第１の基地局が前記測定報告に従ってその送信パワーを調整できるように前記測定報告を前記第１の基地局に対して送信することと；
前記第１の基地局による送信パワーの前記調整によって無線状態が第２の基地局にアクセスするのに十分であるときに、前記第２の基地局とアクセスプロシージャを実行することと、
を備える方法。
【手続補正２】
【補正対象書類名】明細書
【補正対象項目名】０１０２
【補正方法】変更
【補正の内容】
【０１０２】
特許請求の範囲は、上記に示される正確なコンフィギュレーションおよびコンポーネントだけには限定されないことを理解すべきである。様々な修正、変更および変形が、特許請求の範囲の範囲を逸脱することなく、ここにおいて説明されるシステム、方法、および装置の構成、オペレーションおよび詳細の中で行われることができる。
以下に、本願出願当初の特許請求の範囲に記載された発明を付記する。
［Ｃ１］  ホーム進化型ノードＢ（ＨｅＮＢ）によるセル間干渉調整（ＩＣＩＣ）のための方法であって、
ユーザ装置（ＵＥ）のために帯域幅の一部分を予約することと、
帯域幅の前記予約部分についての通知を少なくとも１つの干渉する可能性がある進化型ノードＢ（ｅＮＢ）に対して送信することと、
帯域幅の前記予約部分を使用して前記ＵＥとのデータ交換を実行することと、
帯域幅の前記予約部分を解放する通知を前記少なくとも１つの干渉する可能性があるｅＮＢに対して送信することと、
を備える方法。
［Ｃ２］  帯域幅の前記予約部分を解放する前記通知は、前記ＵＥとの前記データ交換が、停止しているときに、送信される、［Ｃ１］に記載の方法。
［Ｃ３］  帯域幅の前記予約部分を解放する前記通知は、前記ＵＥが、アイドルモードに入るときに、送信される、［Ｃ１］に記載の方法。
［Ｃ４］  前記少なくとも１つの干渉する可能性があるｅＮＢは、自己組織化ネットワーク（ＳＯＮ）サーバを通して識別される、［Ｃ１］に記載の方法。
［Ｃ５］  前記ＨｅＮＢは、バックホール接続を通して前記少なくとも１つの干渉する可能性があるｅＮＢと通信する、［Ｃ１］に記載の方法。
［Ｃ６］  前記ＨｅＮＢは、Ｘ２リンクを通して前記少なくとも１つの干渉する可能性があるｅＮＢと通信する、［Ｃ１］に記載の方法。
［Ｃ７］  前記少なくとも１つの干渉する可能性があるｅＮＢは、別のＨｅＮＢを備える、［Ｃ１］に記載の方法。
［Ｃ８］  ホーム進化型ノードＢ（ＨｅＮＢ）によるダウンリンクのセル間干渉調整（ＩＣＩＣ）のための方法であって、
ユーザ装置（ＵＥ）とのデータ交換を実行することと、
測定報告を受信することと、
第１のスルーレートで送信パワーを低減させることと、
第２のスルーレートで前記送信パワーを増大させることと、
を備える方法。
［Ｃ９］  タイマを開始することと、前記タイマが経過しているかどうかを決定することと、をさらに備え、前記送信パワーは、前記タイマが経過しているときに、前記第２のスルーレートで増大される、［Ｃ８］に記載の方法。
［Ｃ１０］  前記ＨｅＮＢは、制限されたＨｅＮＢであり、そして前記ＵＥは、前記ＨｅＮＢについての閉鎖的な加入者グループ（ＣＳＧ）に属していない、［Ｃ８］に記載の方法。
［Ｃ１１］  前記測定報告は、前記ＵＥから受信される、［Ｃ８］に記載の方法。
［Ｃ１２］  前記測定報告は、進化型ノードＢ（ｅＮＢ）から受信される、請求項８に記載の方法。
［Ｃ１３］  前記ｅＮＢは、干渉する可能性があるｅＮＢである、［Ｃ１２］に記載の方法。
［Ｃ１４］  前記ｅＮＢは、干渉する可能性があるＨｅＮＢである、［Ｃ１２］に記載の方法。
［Ｃ１５］  ユーザ装置（ＵＥ）によるダウンリンクのセル間干渉調整（ＩＣＩＣ）のための方法であって、
ホーム進化型ノードＢ（ＨｅＮＢ）についての受信信号強度を測定することと；  測定報告を作成することと、なお前記測定報告は、前記ＨｅＮＢについての前記受信信号強度を含む；  前記測定報告を第１の進化型ノードＢ（ｅＮＢ）に対して送信することと；  を備える方法。
［Ｃ１６］  前記ＨｅＮＢは、制限されたＨｅＮＢであり、そして前記ＵＥは、前記ＨｅＮＢについての閉鎖的な加入者グループ（ＣＳＧ）に属していない、［Ｃ１５］に記載の方法。
［Ｃ１７］  前記第１のｅＮＢは、前記ＨｅＮＢであり、そして前記方法は、
前記ＨｅＮＢの再選択を実行することと、
１度目に前記ＨｅＮＢを用いてアクセスプロシージャを実行することと、
移動性管理エンティティ（ＭＭＥ）に登録することと、
前記ＭＭＥからページを受信することと、
２度目に前記ＨｅＮＢを用いてアクセスプロシージャを実行することと、
をさらに備え、前記ＵＥは、前記測定報告を前記ＨｅＮＢに対して送信する前に、前記２度目に前記ＨｅＮＢを用いてアクセスプロシージャを実行する、［Ｃ１６］に記載の方法。
［Ｃ１８］  前記ＨｅＮＢの再選択を実行することは、前記ＨｅＮＢからのダウンリンク信号が、第２のｅＮＢからのダウンリンク信号と干渉しているので、起こる、［Ｃ１７］に記載の方法。
［Ｃ１９］  前記第２のｅＮＢを用いてアクセスプロシージャを実行すること、をさらに備える［Ｃ１８］に記載の方法。
［Ｃ２０］  セル間干渉調整（ＩＣＩＣ）のために構成されたホーム進化型ノードＢ（ＨｅＮＢ）であって、
プロセッサと、
前記プロセッサと電子通信しているメモリと、
前記メモリに記憶される命令と、
を備え、前記命令は、前記プロセッサによって、
ユーザ装置（ＵＥ）のために帯域幅の一部分を予約するように、
帯域幅の前記予約部分についての通知を少なくとも１つの干渉する可能性がある進化型ノードＢ（ｅＮＢ）に対して送信するように、
帯域幅の前記予約部分を使用して前記ＵＥとのデータ交換を実行するように、そして  帯域幅の前記予約部分を解放する通知を前記干渉する可能性があるｅＮＢに対して送信するように、
実行可能である、ＨｅＮＢ。
［Ｃ２１］  帯域幅の前記予約部分を解放する前記通知は、前記ＵＥとの前記データ交換が停止しているときに、送信される、［Ｃ２０］に記載のＨｅＮＢ。
［Ｃ２２］  帯域幅の前記予約部分を解放する前記通知は、前記ＵＥがアイドルモードに入るときに、送信される、［Ｃ２０］に記載のＨｅＮＢ。
［Ｃ２３］  前記少なくとも１つの干渉する可能性があるｅＮＢは、自己組織化ネットワーク（ＳＯＮ）サーバを通して識別される、［Ｃ２０］に記載のＨｅＮＢ。
［Ｃ２４］  前記ＨｅＮＢは、バックホール接続を通して前記少なくとも１つの干渉する可能性があるｅＮＢと通信する、［Ｃ２０］に記載のＨｅＮＢ。
［Ｃ２５］  前記ＨｅＮＢは、Ｘ２リンクを通して前記少なくとも１つの干渉する可能性があるｅＮＢと通信する、［Ｃ２０］に記載のＨｅＮＢ。
［Ｃ２６］  前記少なくとも１つの干渉する可能性があるｅＮＢは、別のＨｅＮＢを備える、［Ｃ２０］に記載のＨｅＮＢ。
［Ｃ２７］  ダウンリンクのセル間干渉調整（ＩＣＩＣ）のために構成されたホーム進化型ノードＢ（ＨｅＮＢ）であって、
プロセッサと、
前記プロセッサと電子通信しているメモリと、
前記メモリに記憶される命令と、
を備え、前記命令は、前記プロセッサによって、
ユーザ装置（ＵＥ）とのデータ交換を実行するように、
測定報告を受信するように、
第１のスルーレートで送信パワーを低減させるように、そして  第２のスルーレートで前記送信パワーを増大させるように、
実行可能である、ＨｅＮＢ。
［Ｃ２８］  前記命令は、さらに、タイマを開始するように、そして前記タイマが経過しているかどうかを決定するように、実行可能であり、前記送信パワーは、前記タイマが経過しているときに、前記第２のスルーレートで増大される、［Ｃ２７］に記載のＨｅＮＢ。
［Ｃ２９］  前記ＨｅＮＢは、制限されたＨｅＮＢであり、そして前記ＵＥは、前記ＨｅＮＢについての閉鎖的な加入者グループ（ＣＳＧ）に属していない、［Ｃ２７］に記載のＨｅＮＢ。
［Ｃ３０］  前記測定報告は、前記ＵＥから受信される、［Ｃ２７］に記載のＨｅＮＢ。
［Ｃ３１］  前記測定報告は、進化型ノードＢ（ｅＮＢ）から受信される、［Ｃ２７］に記載のＨｅＮＢ。
［Ｃ３２］  前記ｅＮＢは、干渉する可能性があるｅＮＢである、［Ｃ３１］に記載のＨｅＮＢ。
［Ｃ３３］  前記ｅＮＢは、干渉する可能性があるＨｅＮＢである、［Ｃ３１］に記載のＨｅＮＢ。
［Ｃ３４］  ダウンリンクのセル間干渉調整（ＩＣＩＣ）のために構成されたユーザ装置（ＵＥ）であって、
プロセッサと、
前記プロセッサと電子通信しているメモリと、
前記メモリに記憶される命令と、
を備え、前記命令は、前記プロセッサによって、
ホーム進化型ノードＢ（ＨｅＮＢ）についての受信信号強度を測定するように；  測定報告を作成するように、なお前記測定報告は、前記ＨｅＮＢについての前記受信信号強度を含む；そして  前記測定報告を第１の進化型ノードＢ（ｅＮＢ）に対して送信するように；  実行可能である、ＵＥ。
［Ｃ３５］  前記ＨｅＮＢは、制限されたＨｅＮＢであり、そして前記ＵＥは、前記ＨｅＮＢについての閉鎖的な加入者グループ（ＣＳＧ）に属していない、［Ｃ３４］に記載のＵＥ。
［Ｃ３６］  前記第１のｅＮＢは、前記ＨｅＮＢであり、そして前記命令は、さらに、
前記ＨｅＮＢの再選択を実行するように、
１度目に前記ＨｅＮＢを用いてアクセスプロシージャを実行するように、
移動性管理エンティティ（ＭＭＥ）に登録するように、
前記ＭＭＥからページを受信するように、そして  ２度目に前記ＨｅＮＢを用いてアクセスプロシージャを実行するように、
実行可能であり、前記ＵＥは、前記測定報告を前記ＨｅＮＢに対して送信する前に前記２度目に前記ＨｅＮＢを用いてアクセスプロシージャを実行する、［Ｃ３５］に記載のＵＥ。
［Ｃ３７］  前記ＨｅＮＢの再選択を実行することは、前記ＨｅＮＢからのダウンリンク信号が、第２のｅＮＢからのダウンリンク信号と干渉しているので、起こる、［Ｃ３６］に記載のＵＥ。
［Ｃ３８］  前記命令は、さらに、前記第２のｅＮＢを用いてアクセスプロシージャを実行するように、実行可能である、［Ｃ３７］に記載のＵＥ。
［Ｃ３９］  セル間干渉調整（ＩＣＩＣ）のための装置であって、
ユーザ装置（ＵＥ）のために帯域幅の一部分を予約するための手段と、
帯域幅の前記予約部分についての通知を少なくとも１つの干渉する可能性がある進化型ノードＢ（ｅＮＢ）に対して送信するための手段と、
帯域幅の前記予約部分を使用して前記ＵＥとのデータ交換を実行するための手段と、
帯域幅の前記予約部分を解放する通知を前記少なくとも１つの干渉する可能性があるｅＮＢに対して送信するための手段と、
を備える装置。
［Ｃ４０］  帯域幅の前記予約部分を解放する前記通知は、前記ＵＥとの前記データ交換が、停止しているときに、送信される、［Ｃ３９］に記載の装置。
［Ｃ４１］  前記少なくとも１つの干渉する可能性があるｅＮＢは、自己組織化ネットワーク（ＳＯＮ）サーバを通して識別される、［Ｃ３９］に記載の装置。
［Ｃ４２］  ダウンリンクのセル間干渉調整（ＩＣＩＣ）のための装置であって、
ユーザ装置（ＵＥ）とのデータ交換を実行するための手段と、
測定報告を受信するための手段と、
第１のスルーレートで送信パワーを低減させるための手段と、
第２のスルーレートで前記送信パワーを増大させるための手段と、
を備える装置。
［Ｃ４３］  タイマを開始するための手段と、前記タイマが経過しているかどうかを決定するための手段と、をさらに備え、前記送信パワーは、前記タイマが経過しているときに、前記第２のスルーレートで増大される、［Ｃ４２］に記載の装置。
［Ｃ４４］  制限されたＨｅＮＢであり、そして前記ＵＥは、前記ＨｅＮＢについての閉鎖的な加入者グループ（ＣＳＧ）に属していない、［Ｃ４２］に記載の装置。
［Ｃ４５］  前記測定報告は、バックホール接続上で進化型ノードＢ（ｅＮＢ）から受信される、［Ｃ４２］に記載の装置。
［Ｃ４６］  ダウンリンクのセル間干渉調整（ＩＣＩＣ）のための装置であって、
ホーム進化型ノードＢ（ＨｅＮＢ）についての受信信号強度を測定するための手段と；  測定報告を作成するための手段と、なお前記測定報告は、前記ＨｅＮＢについての前記受信信号強度を含む；  前記測定報告を第１の進化型ノードＢ（ｅＮＢ）に対して送信するための手段と；  を備える装置。
［Ｃ４７］  前記第１のｅＮＢは、前記ＨｅＮＢであり、そして前記装置は、
前記ＨｅＮＢの再選択を実行するための手段と、
１度目に前記ＨｅＮＢを用いてアクセスプロシージャを実行するための手段と、
移動性管理エンティティ（ＭＭＥ）に登録するための手段と、
前記ＭＭＥからページを受信するための手段と、
２度目に前記ＨｅＮＢを用いてアクセスプロシージャを実行するための手段と、
をさらに備え、前記ＵＥは、前記測定報告を前記ＨｅＮＢに対して送信する前に、前記２度目に前記ＨｅＮＢを用いてアクセスプロシージャを実行する、［Ｃ４６］に記載の装置。
［Ｃ４８］  セル間干渉調整（ＩＣＩＣ）のために構成されたワイヤレスデバイスのためのコンピュータプログラムプロダクトであって、その上に命令を有するコンピュータ可読媒体、を備え、前記命令は、
ユーザ装置（ＵＥ）のために帯域幅の一部分を予約するためのコードと、
帯域幅の前記予約部分についての通知を少なくとも１つの干渉する可能性がある進化型ノードＢ（ｅＮＢ）に対して送信するためのコードと、
帯域幅の前記予約部分を使用して前記ＵＥとのデータ交換を実行するためのコードと、
帯域幅の前記予約部分を解放する通知を前記少なくとも１つの干渉する可能性があるｅＮＢに対して送信するためのコードと、
を備える、コンピュータプログラムプロダクト。
［Ｃ４９］  ダウンリンクのセル間干渉調整（ＩＣＩＣ）のために構成されたワイヤレスデバイスのためのコンピュータプログラムプロダクトであって、その上に命令を有するコンピュータ可読媒体、を備え、前記命令は、
ユーザ装置（ＵＥ）とのデータ交換を実行するためのコードと、
測定報告を受信するためのコードと、
第１のスルーレートで送信パワーを低減させるためのコードと、
第２のスルーレートで前記送信パワーを増大させるためのコードと、
を備える、コンピュータプログラムプロダクト。
［Ｃ５０］  ダウンリンクのセル間干渉調整（ＩＣＩＣ）のために構成されたワイヤレスデバイスのためのコンピュータプログラムプロダクトであって、その上に命令を有するコンピュータ可読媒体、を備え、前記命令は、
ホーム進化型ノードＢ（ＨｅＮＢ）についての受信信号強度を測定するためのコードと；  測定報告を作成するためのコードと、なお前記測定報告は、前記ＨｅＮＢについての前記受信信号強度を含む；  前記測定報告を第１の進化型ノードＢ（ｅＮＢ）に対して送信するためのコードと；  を備える、コンピュータプログラムプロダクト。
【外国語明細書】
2014195315000001.pdf